(57)【要約】      （修正有）【課題】Ｔシャツの実際のサイズ、原寸大の外観やプロポーション、意匠を把握することができ、所望のＴシャツを選定することができる外観形態表示システムを提供する。【解決手段】外観形態表示システムは、携帯通信端末１５〜１８によって撮影されたＴシャツの外観形態画像を取り込むとともに、携帯通信端末１５〜１８によってＴシャツと同時に撮影されてＴシャツの採寸に使用する既知寸法の５００円玉（基準寸法画像）を取り込み、５００円玉の既知寸法を外観形態画像に適用してＴシャツを採寸し、または、携帯通信端末１５〜１８によって撮影されたＴシャツの外観形態画像を取り込み、撮影地点からＴシャツまでの距離とＴシャツの撮影時における撮影倍率とからＴシャツを採寸し、採寸したＴシャツの各種寸法に基づいてＴシャツの原寸大の外観形態画像を生成するとともに、生成したＴシャツの原寸大の外観形態画像を表示する。【選択図】図１
2018072293.tif 000002
【特許請求の範囲】
【請求項１】
各種物品の外観形態を表示する外観形態表示システムにおいて、
前記外観形態表示システムが、デジタル撮影機能によって撮影された前記物品の外観形態画像を取り込むとともに、前記デジタル撮影機能によって撮影されて前記物品の採寸に使用する既知寸法の基準寸法物品の基準寸法画像を取り込み、前記基準寸法画像の既知寸法を前記外観形態画像に適用して前記物品を採寸し、または、前記デジタル撮影機能によって撮影された前記物品の外観形態画像を取り込み、撮影地点から前記物品までの距離と該物品の撮影時における撮影倍率とから該物品を採寸する第１採寸手段と、前記第１採寸手段によって採寸した前記物品の各種寸法に基づいて該物品の原寸大の外観形態画像を生成する外観形態画像生成手段と、前記外観形態画像生成手段によって生成した前記物品の原寸大の外観形態画像を表示する原寸大画像表示手段とを有することを特徴とする外観形態表示システム。
【請求項２】
前記物品の外観形態画像と前記基準寸法物品の基準寸法画像とが、前記デジタル撮影機能によって一画面に同時に撮影される請求項１に記載の外観形態表示システム。
【請求項３】
前記原寸大画像表示手段が、前記物品の原寸大の外観形態画像を２次元画像として表示し、または、前記物品の原寸大の外観形態画像を３次元画像として表示する請求項１または請求項２に記載の外観形態表示システム。
【請求項４】
前記原寸大画像表示手段が、前記物品の原寸大の外観形態画像の異なる方向から見た複数の２次元画像を表示し、または、前記物品の原寸大の外観形態画像の異なる方向から見た複数の３次元画像を表示する請求項３に記載の外観形態表示システム。
【請求項５】
前記原寸大画像表示手段が、前記３次元画像として表示された前記物品の原寸大の外観形態画像を所定の方向へ回転させつつ、回転させた３次元画像を表示する請求項２ないし請求項４いずれかに記載の外観形態表示システム。
【請求項６】
前記原寸大画像表示手段が、複数の物品の原寸大の複数の外観形状画像を１画面に並べた状態で表示し、または、複数の物品の原寸大の複数の外観形状画像を１画面に重ね合わせた状態で表示する請求項１ないし請求項５いずれかに記載の外観形態表示システム。
【請求項７】
前記外観形態表示システムが、前記第１採寸手段によって採寸した前記物品の各種寸法を変更する寸法変更手段と、前記寸法変更手段によって変更された前記物品の各種寸法に基づいて寸法変更後の該物品の原寸大の外観形態変更画像を生成する外観形態変更画像生成手段とを含み、前記原寸大画像表示手段が、前記外観形態変更画像生成手段によって生成された寸法変更後の前記物品の原寸大の外観形態変更画像を表示する請求項１ないし請求項６いずれかに記載の外観形態表示システム。
【請求項８】
前記原寸大画像表示手段が、前記物品の原寸大の外観形態画像とともに、前記第１採寸手段によって採寸した前記物品の各種寸法を表示し、または、前記寸法変更手段によって変更された前記物品の各種寸法を表示する請求項７に記載の外観形態表示システム。
【請求項９】
前記原寸大画像表示手段が、前記物品の原寸大の外観形態画像とともに長さを伸縮可能なスケール画像を表示し、前記原寸大画像表示手段では、前記スケール画像を前記物品の原寸大の外観形態画像および外観形態変更画像の所定の箇所にあてがうことが可能であり、前記スケール画像を利用して前記物品の原寸大の外観形態画像および外観形態変更画像の所定の箇所の寸法を測ることが可能である請求項７または請求項８いずれかに記載の外観形態表示システム。
【請求項１０】
前記外観形態表示システムが、前記物品の所定の縮尺倍率に縮尺した外観形態縮尺画像を表示するとともに、前記外観形態縮尺画像とサイズを比較するサイズ比較物品の所定の縮尺倍率に縮尺したサイズ比較画像を該外観形態縮尺画像に並べて表示する縮尺画像表示手段を含む請求項１ないし請求項９いずれかに記載の外観形態表示システム。
【請求項１１】
前記外観形態表示システムが、複数のサイズ比較画像を表示するサイズ比較画像表示手段を含み、前記縮尺画像表示手段が、前記サイズ比較画像表示手段によって表示された複数のサイズ比較画像の中から所定のサイズ比較画像が選択された場合、選択されたサイズ比較画像を前記外観形態縮尺画像に並べて表示する請求項１０に記載の外観形態表示システム。
【請求項１２】
前記外観形態表示システムが、前記第１採寸手段によって採寸した前記物品の各種寸法に基づいて所定の縮尺倍率に縮尺された該物品の前記外観形態縮尺画像を生成する外観形態縮尺画像生成手段を含む請求項１０または請求項１１に記載の外観形態表示システム。
【請求項１３】
前記外観形態表示システムが、デジタル撮影機能によって撮影された前記サイズ比較物品の外観形態比較画像を取り込むとともに、前記デジタル撮影機能によって撮影されて前記サイズ比較物品の採寸に使用する既知寸法の基準寸法物品の基準寸法画像を取り込み、前記基準寸法画像の既知寸法を前記外観形態比較画像に適用して前記サイズ比較物品を採寸し、または、前記デジタル撮影機能によって撮影された前記サイズ比較物品の外観形態比較画像を取り込み、撮影地点から前記サイズ比較物品までの距離と該サイズ比較物品の撮影時における撮影倍率とから該サイズ比較物品を採寸する第２採寸手段と、前記第２採寸手段によって採寸した前記サイズ比較物品の各種寸法に基づいて該サイズ比較物品の所定の縮尺倍率に縮尺された前記サイズ比較画像を生成するサイズ比較画像生成手段とを含む請求項９ないし請求項１１いずれかに記載の外観形態表示システム。
【請求項１４】
前記サイズ比較物品の外観形態比較画像と前記基準寸法物品の基準寸法画像とが、前記デジタル撮影機能によって一画面に同時に撮影される請求項１３に記載の外観形態表示システム。
【発明の詳細な説明】
【技術分野】
【０００１】
本発明は、各種物品の外観形態を表示する外観形態表示システムに関する。
【背景技術】
【０００２】
一定の回転速度で回転する回転テーブルを利用し、回転テーブルが所定位置に回転した時点でカメラによって３次元対象物を全方位的に撮影する撮影手段と、撮影手段で得られた複数の２次元画像の少なくともいずれかの２次元画像において採寸部位を入力する手段と、入力された２次元採寸部位に対応する対象物の３次元位置を算出する第１演算手段と、３次元対象物の３次元位置近傍のみの輪郭を表す３次元形状データを生成する第２演算手段と、３次元形状データに基づいて採寸部位における輪郭の周囲長を算出する第３演算手段とを有する自動採寸システムが開示されている（特許文献１参照）。
【０００３】
自動採寸システムでは、２次元画像において指定された採寸部位に対応する対象物の３次元位置を算出し、３次元位置を通る平面上に位置する対象物のボクセル群（採寸部位近傍の３次元形状データ）を抽出する。ボクセル群の輪郭は対象物の採寸部位における輪郭であり、その周囲長を算出することで採寸部位のサイズが得られる。自動採寸システムは、たとえば人体のバストやウエスト、ヒップを測定する場合、バスト部位、ウエスト部位、ヒップ部位のみの３次元形状データが個別に作成され、それら部位のサイズを得ることができる。
【先行技術文献】
【特許文献】
【０００４】
【特許文献１】特開２００３−２６９９２１号公報
【発明の概要】
【発明が解決しようとする課題】
【０００５】
前記特許文献１に開示の自動採寸システムは、各部位のサイズを自動的に採寸することができるが、採寸した対象物の原寸大の外観形態画像や採寸した対象物の所定倍率に縮尺された外観形態縮尺画像をディスプレイに表示することはないから、対象物の外観形態をディスプレイにおいて視認することはできず、対象物の全体像を把握することができない。なお、メディアやウェブサイトを利用した通信販売や販売店に設置されたディスプレイにおいて物品を検索しつつ販売する検索販売では、ディスプレイに表示された物品の画像から物品の形状や模様、色彩等を確認しつつ物品の良否を判断し、購入予定の物品を選定する。しかし、ディスプレイには所定の倍率に縮尺された物品の外観形態縮尺画像が表示されるから、物品の実際の大きさやサイズ、原寸大の外観、原寸大のプロポーション、原寸大の意匠を把握し難く、購入者の購買意欲を強く刺激することはできない。また、通信販売や検索販売では、購入者が大きさやサイズの合わない物品を購入し、購入後に返品する場合があり、実物を確認しつつ購入する店頭販売に比較して物品の返品率が増加する傾向がある。
【０００６】
本発明の目的は、物品の実際のサイズ（大きさ、寸法）、原寸大の外観、原寸大のプロポーション、原寸大の意匠を把握することができ、所望のサイズ（大きさ、寸法）を有して所望の外観やプロポーション、意匠を備えた物品を選定することができるとともに、購入者の購買意欲を強く刺激することができる外観形態表示システムを提供することにある。本発明の他の目的は、サイズ違いの物品の購入を防ぐことができ、物品の返品率を低下させることができる外観形態表示システムを提供することにある。
【課題を解決するための手段】
【０００７】
前記課題を解決するための本発明の前提は、各種物品の外観形態を表示する外観形態表示システムである。
【０００８】
前記前提における本発明の特徴は、外観形態表示システムが、デジタル撮影機能によって撮影された物品の外観形態画像を取り込むとともに、デジタル撮影機能によって撮影されて物品の採寸に使用する既知寸法の基準寸法画像を取り込み、基準寸法画像の既知寸法を外観形態画像に適用して物品を採寸し、または、デジタル撮影機能によって撮影された物品の外観形態画像を取り込み、撮影地点から物品までの距離と物品の撮影時における撮影倍率とから物品を採寸する第１採寸手段と、第１採寸手段によって採寸した物品の各種寸法に基づいて物品の原寸大の外観形態画像を生成する外観形態画像生成手段と、外観形態画像生成手段によって生成した物品の原寸大の外観形態画像を表示する原寸大画像表示手段とを有することにある。
【０００９】
本発明の一例としては、物品の外観形態画像と基準寸法物品の基準寸法画像とが、デジタル撮影機能によって一画面に同時に撮影される。
【００１０】
本発明の他の一例としては、原寸大画像表示手段が、物品の原寸大の外観形態画像を２次元画像として表示し、または、物品の原寸大の外観形態画像を３次元画像として表示する。
【００１１】
本発明の他の一例としては、原寸大画像表示手段が、物品の原寸大の外観形態画像の異なる方向から見た複数の２次元画像を表示し、または、物品の原寸大の外観形態画像の異なる方向から見た複数の３次元画像を表示する。
【００１２】
本発明の他の一例としては、原寸大画像表示手段が、３次元画像として表示された物品の原寸大の外観形態画像を所定の方向へ回転させつつ、回転させた３次元画像を表示する。
【００１３】
本発明の他の一例としては、原寸大画像表示手段が、複数の物品の原寸大の複数の外観形状画像を１画面に並べた状態で表示し、または、複数の物品の原寸大の複数の外観形状画像を１画面に重ね合わせた状態で表示する。
【００１４】
本発明の他の一例としては、外観形態表示システムが、第１採寸手段によって採寸した物品の各種寸法を変更する寸法変更手段と、寸法変更手段によって変更された物品の各種寸法に基づいて寸法変更後の物品の原寸大の外観形態変更画像を生成する外観形態変更画像生成手段とを含み、原寸大画像表示手段が、外観形態変更画像生成手段によって生成された寸法変更後の物品の原寸大の外観形態変更画像を表示する。
【００１５】
本発明の他の一例としては、原寸大画像表示手段が、物品の原寸大の外観形態画像とともに、第１採寸手段によって採寸した物品の各種寸法を表示し、または、寸法変更手段によって変更された物品の各種寸法を表示する。
【００１６】
本発明の他の一例としては、原寸大画像表示手段が、物品の原寸大の外観形態画像とともに長さを伸縮可能なスケール画像を表示し、原寸大画像表示手段では、スケール画像を物品の原寸大の外観形態画像および外観形態変更画像の所定の箇所にあてがうことが可能であり、スケール画像を利用して物品の原寸大の外観形態画像および外観形態変更画像の所定の箇所の寸法を測ることが可能である。
【００１７】
本発明の他の一例としては、外観形態表示システムが、物品の所定の縮尺倍率に縮尺した外観形態縮尺画像を表示するとともに、外観形態縮尺画像とサイズを比較するサイズ比較物品の所定の縮尺倍率に縮尺したサイズ比較画像を外観形態縮尺画像に並べて表示する縮尺画像表示手段を含む。
【００１８】
本発明の他の一例としては、外観形態表示システムが、複数のサイズ比較画像を表示するサイズ比較画像表示手段を含み、縮尺画像表示手段が、サイズ比較画像表示手段によって表示された複数のサイズ比較画像の中から所定のサイズ比較画像が選択された場合、選択されたサイズ比較画像を外観形態縮尺画像に並べて表示する。
【００１９】
本発明の他の一例としては、外観形態表示システムが、第１採寸手段によって採寸した物品の各種寸法に基づいて所定の縮尺倍率に縮尺された物品の外観形態縮尺画像を生成する外観形態縮尺画像生成手段を含む。
【００２０】
本発明の他の一例としては、外観形態表示システムが、デジタル撮影機能によって撮影されたサイズ比較物品の外観形態比較画像を取り込むとともに、デジタル撮影機能によって撮影されてサイズ比較物品の採寸に使用する既知寸法の基準寸法画像を取り込み、基準寸法画像の既知寸法を外観形態比較画像に適用してサイズ比較物品を採寸し、または、デジタル撮影機能によって撮影されたサイズ比較物品の外観形態比較画像を取り込み、撮影地点からサイズ比較物品までの距離とサイズ比較物品の撮影時における撮影倍率とからサイズ比較物品を採寸する第２採寸手段と、第２採寸手段によって採寸したサイズ比較物品の各種寸法に基づいてサイズ比較物品の所定の縮尺倍率に縮尺されたサイズ比較画像を生成するサイズ比較画像生成手段とを含む。
【００２１】
本発明の他の一例としては、サイズ比較物品の外観形態比較画像と基準寸法物品の基準寸法画像とが、デジタル撮影機能によって一画面に同時に撮影される。
【発明の効果】
【００２２】
本発明に係る外観形態表示システムによれば、デジタル撮影機能によって撮影された物品の外観形態画像を取り込むとともに、デジタル撮影機能によって撮影された既知寸法の基準寸法物品の基準寸法画像を取り込み、基準寸法画像の既知寸法を外観形態画像に適用して物品を採寸し、または、デジタル撮影機能によって撮影された物品の外観形態画像を取り込み、撮影地点から物品までの距離と物品の撮影時における撮影倍率とから物品を採寸するとともに、採寸した物品の各種寸法に基づいて物品の原寸大の外観形態画像を生成し、生成した物品の原寸大の外観形態画像を表示するから、物品の実際のサイズ（大きさ、寸法）、原寸大の外観、原寸大のプロポーション、原寸大の意匠を把握することができ、所望のサイズ（大きさ、寸法）を有するとともに所望の外観や所望のプロポーション、所望の意匠を備えた物品を選定することができる。外観形態表示システムは、物品の実際のサイズ（大きさ、寸法）、原寸大の外観、原寸大のプロポーション、原寸大の意匠を正確に把握することができるから、購入者の購買意欲を強く刺激することができるとともに、通信販売や検索販売におけるサイズ違いの物品の購入を防ぐことができ、物品の返品率を低下させることができる。外観形態表示システムは、デジタル撮影機能によって撮影された物品の外観形態画像や基準寸法画像を利用して物品を採寸するから、物品の実物をスケールで測って採寸する必要はなく、複数の物品を容易かつ効率的に採寸することができるとともに、採寸した物品の各種寸法に基づいて物品の原寸大の外観形態画像を生成するから、正確なサイズ（大きさ、寸法）の物品の原寸大の外観形態画像を生成することができ、正確なサイズ（大きさ、寸法）の物品の原寸大の外観形態画像を表示することができる。外観形態表示システムは、物品の在庫がなく、現物を提示することができない場合であっても、その物品の原寸大の外観形態画像を表示するから、現物を提示・確認することと同一の状況を作り出すことができる。
【００２３】
物品の外観形態画像と基準寸法物品の基準寸法画像とがデジタル撮影機能によって一画面に同時に撮影された画像である外観形態表示システムは、物品の外観形態画像と基準寸法物品の基準寸法画像とを一画面に同時に撮影することで、物品と基準寸法物品との撮影距離が同一になるとともに、物品と基準寸法物品との撮影角度が同一になるから、基準寸法物品の基準寸法画像の既知寸法を利用して物品を正確に採寸することができ、採寸した物品の各種寸法に基づいて物品の原寸大の外観形態画像を確実に生成することができる。
【００２４】
物品の原寸大の外観形態画像を２次元画像として表示し、または、物品の原寸大の外観形態画像を３次元画像として表示する外観形態表示システムは、物品の原寸大の外観形態画像を２次元画像として表示することで、物品の平面的な原寸大のサイズ（大きさ、寸法）、原寸大の外観、原寸大のプロポーション、原寸大の意匠を把握することができ、購入者の購買意欲を強く刺激することができるとともに、２次元画像を利用して所望のサイズ（大きさ、寸法）を有して所望の外観や所望のプロポーション、所望の意匠を備えた物品を間違いなく選定することができる。外観形態表示システムは、物品の原寸大の外観形態画像を３次元画像として表示することで、物品の立体的な原寸大のサイズ（大きさ、寸法）、原寸大の外観、原寸大のプロポーション、原寸大の意匠を把握することができ、購入者の購買意欲を強く刺激することができるとともに、３次元画像を利用して所望のサイズ（大きさ、寸法）を有して所望の外観やプロポーション、意匠を備えた物品を間違いなく選定することができる。外観形態表示システムは、物品の在庫がなく、現物を提示することができない場合であっても、その物品の原寸大の外観形態画像を２次元画像や３次元画像として表示するから、現物を提示・確認することと同一の状況を作り出すことができる。
【００２５】
物品の原寸大の外観形態画像の異なる方向から見た複数の２次元画像を表示し、または、物品の原寸大の外観形態画像の異なる方向から見た複数の３次元画像を表示する外観形態表示システムは、異なる方向から見た物品の原寸大の外観形態画像の複数の２次元画像を表示することで、物品の平面的な原寸大のサイズ（大きさ、寸法）、原寸大の外観、原寸大のプロポーション、原寸大の意匠を正確に把握することができ、購入者の購買意欲を強く刺激することができるとともに、２次元画像を利用して所望のサイズ（大きさ、寸法）を有して所望の外観や所望のプロポーション、所望の意匠を備えた物品を間違いなく選定することができる。外観形態表示システムは、異なる方向から見た物品の原寸大の外観形態画像の複数の３次元画像を表示することで、物品の立体的な原寸大のサイズ（大きさ、寸法）、原寸大の外観、原寸大のプロポーション、原寸大の意匠を正確に把握することができ、購入者の購買意欲を強く刺激することができるとともに、３次元画像を利用して所望のサイズ（大きさ、寸法）を有して所望の外観や所望のプロポーション、所望の意匠を備えた物品を間違いなく選定することができる。
【００２６】
３次元画像として表示された物品の原寸大の外観形態画像を所定の方向へ回転させつつ、回転させた３次元画像を表示する外観形態表示システムは、回転させた物品の原寸大の外観形態画像の３次元画像を表示することで、あらゆる方向から見た物品の原寸大の外観形態画像の複数の３次元画像を表示することができ、物品の立体的な原寸大のサイズ（大きさ、寸法）、原寸大の外観、原寸大のプロポーション、原寸大の意匠をあらゆる角度から正確に把握することができ、購入者の購買意欲を強く刺激することができるとともに、３次元画像を利用して所望のサイズ（大きさ、寸法）を有して所望の外観や所望のプロポーション、所望の意匠を備えた物品を間違いなく選定することができる。
【００２７】
複数の物品の原寸大の複数の外観形状画像を１画面に並べた状態で表示し、または、複数の物品の原寸大の複数の外観形状画像を１画面に重ね合わせた状態で表示する外観形態表示システムは、それら物品の原寸大のそれら外観形状画像を１画面に表示することで、各物品の原寸大の外観形状画像の相違点や共通点を知ることができ、各物品を比較しつつ、各物品の原寸大の外観、原寸大のプロポーション、原寸大の意匠を正確に把握することができ、所望のサイズ（大きさ、寸法）を有して所望の外観や所望のプロポーション、所望の意匠を備えた物品を間違いなく選定することができる。
【００２８】
採寸した物品の各種寸法を変更可能であり、変更された物品の各種寸法に基づいて寸法変更後の物品の原寸大の外観形態変更画像を生成するとともに、生成された寸法変更後の物品の原寸大の外観形態変更画像を表示する外観形態表示システムは、物品の各種寸法を変更し、寸法が変更された後の物品の原寸大の外観形態変更画像を表示することで、所望のサイズ（大きさ、寸法）を有して所望の外観や所望のプロポーション、所望の意匠を備えた物品を作ることができ、購入者の購買意欲を強く刺激することができる。
【００２９】
物品の原寸大の外観形態画像とともに採寸した物品の各種寸法を表示し、または、変更された物品の各種寸法を表示する外観形態表示システムは、物品の原寸大の外観形態画像とともに物品の各種寸法の数値を表示することで、物品のサイズ（大きさ、寸法）を一層正確に把握することができ、所望のサイズ（大きさ、寸法）を有する物品を確実に選定することができる。
【００３０】
物品の原寸大の外観形態画像とともに長さを伸縮可能なスケール画像を表示し、スケール画像を物品の原寸大の外観形態画像および外観形態変更画像の所定の箇所にあてがうことが可能であり、スケール画像を利用して物品の原寸大の外観形態画像および外観形態変更画像の所定の箇所の寸法を測ることが可能である外観形態表示システムは、物品の原寸大の外観形態画像および外観形態変更画像の所定の箇所に伸縮可能なスケール画像をあてがい、スケール画像を利用して物品の原寸大の外観形態画像および外観形態変更画像の所定の箇所の寸法を測ることができるから、スケール画像によって物品の所定の箇所の実際の寸法の数値を知ることができ、物品の原寸大のサイズ（大きさ、寸法）、原寸大の外観、原寸大のプロポーション、原寸大の意匠を正確に把握することができる。
【００３１】
物品の所定の縮尺倍率に縮尺した外観形態縮尺画像を表示するとともに、外観形態縮尺画像とサイズを比較するサイズ比較物品の所定の縮尺倍率に縮尺したサイズ比較画像を外観形態縮尺画像に並べて表示する外観形態表示システムは、外観形態縮尺画像のサイズ（大きさ、寸法）を比較するサイズ比較画像を外観形態縮尺画像に並べて表示することで、外観形態縮尺画像で表示された物品の実際の大きさを容易に予想することができ、外観形態縮尺画像から所望の大きさやサイズを有する物品を選定することができる。
【００３２】
複数のサイズ比較画像を表示しつつ、表示された複数のサイズ比較画像の中から所定のサイズ比較画像が選択された場合、選択されたサイズ比較画像を外観形態縮尺画像に並べて表示する外観形態表示システムは、複数のサイズ比較画像の中から外観形態縮尺画像として表示された物品のサイズ（大きさ、寸法）を予想し易い最適なサイズ比較画像を選択することができ、そのサイズ比較画像を利用して外観形態縮尺画像で表示された物品の実際の大きさを容易に予想することができるとともに、外観形態縮尺画像から所望のサイズ（大きさ、寸法）を有する物品を選定することができる。
【００３３】
採寸した物品の各種寸法に基づいて所定の縮尺倍率に縮尺された物品の外観形態縮尺画像を生成する外観形態表示システムは、採寸した物品の各種寸法に基づいて所定の縮尺倍率に縮尺された物品の外観形態縮尺画像を生成するから、所定の縮尺倍率に正確に縮尺された物品の外観形態縮尺画像を生成することができ、所定の縮尺倍率に正確に縮尺された物品の外観形態縮尺画像を表示することができる。
【００３４】
デジタル撮影機能によって撮影されたサイズ比較物品の外観形態比較画像を取り込むとともに、デジタル撮影機能によって撮影されてサイズ比較物品の採寸に使用する既知寸法の基準寸法物品の基準寸法画像を取り込み、基準寸法画像の既知寸法を外観形態比較画像に適用してサイズ比較物品を採寸し、または、デジタル撮影機能によって撮影されたサイズ比較物品の外観形態比較画像を取り込み、撮影地点からサイズ比較物品までの距離とサイズ比較物品の撮影時における撮影倍率とからサイズ比較物品を採寸するとともに、採寸したサイズ比較物品の各種寸法に基づいてサイズ比較物品の所定の縮尺倍率に縮尺されたサイズ比較画像を生成する外観形態表示システムは、デジタル撮影機能によって撮影されたサイズ比較物品の外観形態比較画像や基準寸法画像を利用してサイズ比較物品を採寸するから、サイズ比較物品の実物をスケールで測って採寸する必要はなく、複数のサイズ比較物品を容易かつ効率的に採寸することができるとともに、採寸したサイズ比較物品の各種寸法に基づいてサイズ比較物品の所定の縮尺倍率に縮尺されたサイズ比較画像を生成するから、所定の縮尺倍率に正確に縮尺されたサイズ比較物品のサイズ比較画像を生成することができ、所定の縮尺倍率に正確に縮尺されたサイズ比較物品のサイズ比較画像を表示することができる。
【００３５】
サイズ比較物品の外観形態比較画像と基準寸法物品の基準寸法画像とがデジタル撮影機能によって一画面に同時に撮影された画像である外観形態表示システムは、サイズ比較物品の外観形態比較画像と基準寸法物品の基準寸法画像とを一画面に同時に撮影することで、サイズ比較物品と基準寸法物品との撮影距離が同一になるとともに、サイズ比較物品と基準寸法物品との撮影角度が同一になるから、基準寸法物品の基準寸法画像の既知寸法を利用してサイズ比較物品を正確に採寸することができる。
【図面の簡単な説明】
【００３６】
【図１】外観形態表示システムを実施するためのマシン構成の一例を示す図。
【図２】ユーザーによる物品および基準寸法物品撮影の一例を示す図。
【図３】ユーザーによるサイズ比較物品およびサイズ比較物品撮影の一例を示す図。
【図４】メーカーや各販売店による物品撮影の他の一例を示す図。
【図５】メーカーや各販売店によるサイズ比較物品撮影の一例を示す図。
【図６】大型ディスプレイに表示された検索画面の一例を示す図。
【図７】大型ディスプレイに表示された外観形態縮尺画像表示画面の一例を示す図。
【図８】大型ディスプレイに表示された外観形態縮尺画像表示画面の他の一例を示す図。
【図９】大型ディスプレイに表示された比較物品選択画面の一例を示す図。
【図１０】大型ディスプレイに表示された外観形態比較画面の一例を示す図。
【図１１】大型ディスプレイに表示された外観形態比較画面の他の一例を示す図。
【図１２】大型ディスプレイに表示された２次元実物大外観形態画像表示画面の一例を示す図。
【図１３】大型ディスプレイに表示された２次元スケール画像表示画面の一例を示す図。
【図１４】大型ディスプレイに表示された２次元実物大外観形態変更画像表示画面の他の一例を示す図。
【図１５】大型ディスプレイに表示された３次元実物大外観形態画像表示画面の他の一例を示す図。
【図１６】大型ディスプレイに表示された３次元スケール画像表示画面の他の一例を示す図。
【図１７】大型ディスプレイに表示された３次元実物大外観形態変更画像表示画面の他の一例を示す図。
【図１８】スマートフォンのディスプレイに表示された検索画面の一例を示す図。
【図１９】スマートフォンのディスプレイに表示された外観形態縮尺画像表示画面の一例を示す図。
【図２０】スマートフォンのディスプレイに表示された外観形態縮尺画像表示画面の他の一例を示す図。
【図２１】スマートフォンのディスプレイに表示された比較物品選択画面の一例を示す図。
【図２２】スマートフォンのディスプレイに表示された外観形態比較画面の一例を示す図。
【図２３】スマートフォンのディスプレイに表示された外観形態比較画面の他の一例を示す図。
【発明を実施するための形態】
【００３７】
外観形態表示システムを実施するためのマシン構成の一例を示す図である図１等の添付の図面を参照し、本発明に係る外観形態表示システムの詳細を説明すると、以下のとおりである。外観形態表示システムは、それを提供する事業者が利用するデータセンターのシステムサーバ１０にアプリケーションとして記憶（設定）され、各種物品の外観形態を各種ディスプレイに表示する。以下、Ｔシャツ２１（物品）、５００円玉２２（基準寸法物品）、ペットボトル２３（サイズ比較物品）を例として外観形態表示システムを説明する。なお、物品に特に限定はなく、物品には有償や無償のあらゆる物品（有形商品）が含まれる。また、基準寸法物品に特に限定はなく、基準寸法物品にはサイズ（大きさ、寸法）が決まっている既知寸法（既知サイズ）のあらゆる基準寸法物品（たとえば、Ａ４の紙、お札、辺の長さが１０ｃｍの立方体（六面体）等）が含まれる。サイズ比較物品に特に限定はなく、サイズ比較物品にはサイズ（大きさ、寸法）を比較することが可能なあらゆるサイズ比較物品が含まれる。基準寸法物品として辺の長さが１０ｃｍの立方体（六面体）を使用する場合、各面に異なる色の着色が施され、または、各辺が交差する角部に基準となる印が付けられていることが好ましい。異なる色の着色や印を付けることで、物品と立方体（基準寸法物品）とを同時に撮影した場合、各面の角度や撮影方向を面の色や印によって判断することができ、角度や撮影方向を補正することで、物品の画像を正しい方向や角度から撮影した状態に補正することができる。
【００３８】
図１では、１台のシステムサーバ１０や１台のメーカーサーバ１１、１台の販売店サーバ１２、１台の大型ディスプレイ１３（業務用ディスプレイや業務用デジタルテレビ）、１台のデジタルカメラ１４、１台のノート型パソコン１５（携帯通信端末）、１台のタブレットＰＣ１６（携帯通信端末）、１台のスマートフォン１７（携帯通信端末）、１台の携帯電話１８（携帯通信端末）を図示しているが、実際の外観形態表示システムではインターネット１９（ネットワーク）を介して接続される各種複数のサーバが存在するとともに、インターネット１９を介して各サーバへアクセス可能な各種複数のノート型パソコン１５やタブレットＰＣ１６、スマートフォン１７、携帯電話１８が存在するとともに、各種複数の大型ディスプレイ１３が存在する。
【００３９】
なお、携帯通信端末には携帯情報端末（ＰＤＡ）やウエアラブル端末も含まれ、さらに、今後開発されるインターネット１９に接続可能であってデジタル撮影機能（デジタルカメラ機能）を有する全ての携帯通信端末が含まれる。また、インターネット１９の他に、ノート型パソコン１５やタブレットＰＣ１６、スマートフォン１７、携帯電話１８とサーバ１０〜１２とがＬＡＮやＷＡＮ等の他のネットワークによって接続される場合も含まれる。
【００４０】
各サーバ１０〜１２（仮想サーバを含む）やノート型パソコン１５は、中央処理部（ＣＰＵまたはＭＰＵ）とメモリ（メインメモリおよびキャッシュメモリ）とを有して独立したオペレーティングシステム（ＯＳ）によって動作するコンピュータであり、大容量記憶領域（大容量ハードディスク等）を実装している。システムサーバ１０は、外観形態表示システムを管理・提供する事業者（管理会社）が契約するデータセンター（クラウドを含む）に設置されている。なお、システムサーバ１０がシステムを管理。提供する事業者（管理会社）の社内に設置され、システムのアプリケーションが管理事業者の社内のシステムサーバ１０に記憶（設定）される場合がある。
【００４１】
システムサーバ１０やメーカーサーバ１１、販売店サーバ１２、ノート型パソコン１５は、ＤＮＳサーバ機能、データベースサーバ機能、Ｗｅｂサーバ機能、メールサーバ機能、ドキュメントサーバ機能の各種サーバ機能を有し、インターネット１９に接続された各種複数のＤＮＳサーバ等を経由しつつ、インターネット１９を利用してアクセス制限がない不特定多数の他のあらゆるサーバ（物理サーバや仮想サーバ）にアクセスかつログインすることができるとともに、インターネットにおいて各種検索エンジンを利用することができる。各サーバ１０〜１２やノート型パソコン１５には、図示はしていないが、キーボードやマウス等の入力装置、ディスプレイやプリンタ等の出力装置がインターフェイスを介して接続されている。
【００４２】
大型ディスプレイ１３は、システムサーバ１０にログイン可能な販売店サーバ１２に接続され、販売店の内部や販売店の入り口等に設置されている。大型ディスプレイ１３は、フルＨＤや４Ｋ、８Ｋに対応可能であり、各種複数の物品を原寸大で表示することが可能な大きさを有する。大型ディスプレイ１３には、４Ｋ液晶テレビやフルＨＤ液晶テレビ、有機ＥＬテレビ、５５Ｖ以上のテレビ、大型モニター等の表示装置があるが、既存のそれら表示装置のみならず、今後開発されるすべての大型表示装置が含まれる。なお、大型ディスプレイ１３の他に、または、大型ディスプレイ１３とともにプロジェクター（プロジェクタースクリーン）を利用することもできる。
【００４３】
タブレットＰＣ１６やスマートフォン１７、携帯電話１８は、中央処理部（ＣＰＵまたはＭＰＵ）とメモリ（メインメモリおよびキャッシュメモリ）とを有して独立したオペレーティングシステム（ＯＳ）によって動作するコンピュータを内蔵し、大容量記憶領域（大容量ハードディスク等）を実装している。タブレットＰＣ１６やスマートフォン１７、携帯電話１８（以下、ノート型パソコン１５を含むそれらを携帯通信端末１５〜１８という）は、それらのメモリに格納されたウェブブラウザを利用してインターネット１９に接続可能であり、インターネット１９を利用して不特定多数の他のサーバ（物理サーバや仮想サーバ）にアクセスかつログインすることができるとともに、インターネット１９において各種検索エンジンを利用することができる。
【００４４】
メーカーサーバ１１や販売店サーバ１２、それら携帯通信端末１５〜１８は、システムサーバ１０のＵＲＬを使用してサーバ１０にアクセスかつログインすることができるとともに、インターネット１９を利用して各種データ（文字データやデジタル画像データ）をサーバ１０を含む他の複数の外部サーバに提供することができ、インターネット１９を利用して各種データをサーバ１０を含む他の複数の外部サーバから受け取ることができる。
【００４５】
それら携帯通信端末１５〜１８は、システムを利用する各ユーザーが所持している。メーカーサーバ１１は、Ｔシャツ（物品）を製造するＴシャツメーカー（物品メーカー）が契約するデータセンター（クラウドを含む）に設置されている。なお、メーカーサーバ１１がＴシャツメーカーの社内に設置される場合もある。販売店サーバ１２は、Ｔシャツ（物品）を販売する販売店が契約するデータセンター（クラウドを含む）に設置されている。なお、販売店サーバ１２が販売店の内部に設置される場合もある。
【００４６】
メーカーサーバ１１や販売店サーバ１２、それら携帯通信端末１５〜１８には、それらを特定する端末特定情報が格納されている。端末特定情報としては、メーカーサーバ１１や販売店サーバ１２、それら携帯通信端末１５〜１８のＩＰアドレスやＭＡＣアドレス、ＵＲＬ、メールアドレス、Ｃｏｏｋｉｅ情報、固体識別番号等を利用することができる他、メーカーサーバ１１や販売店サーバ１２、それら携帯通信端末１５〜１８がそれらを識別するユニークな識別子を独自に生成し、生成した識別子を端末特定情報にすることもできる。
【００４７】
メーカーサーバ１１の記憶領域や販売店サーバ１２の記憶領域、それら携帯通信端末１５〜１８の記憶領域には、それらを使用する権限を有するメーカーのメーカー特定情報、販売店の販売店特定情報、ユーザーの個人特定情報が格納されている。メーカー特定情報や販売店特定情報には、パスワードやＩＤ番号、メーカーや販売店の名称（法人名）、住所または居所、電話番号、ＦＡＸ番号、メールアドレス等がある。個人特定情報には、パスワードやＩＤ番号、ユーザーの氏名または名称（法人名や個人名）、住所または居所、電話番号、ＦＡＸ番号、年齢、性別、メールアドレス等がある。メーカーサーバ１１や販売店サーバ１２、それら携帯通信端末１５〜１８には、電子メールの送受信や電子メールの管理を行う電子メールクライアントが格納されている。メーカーサーバ１１や販売店サーバ１２、それら携帯通信端末１５〜１８は、入力した所定の文字データ（メッセージデータ）を電子メールによって外部サーバに送信（投稿）することができる。
【００４８】
それら携帯通信端末１５〜１８は、デジタル撮影機能（デジタルカメラ機能）を有し、デジタル撮影機能によって物品（被写体）や基準寸法物品（被写体）、サイズ比較用のサイズ比較物品（被写体）を撮影することができ、撮影した物品の外観形態画像や基準寸法物品の外観形態画像、サイズ比較物品の外観形態画像を記憶領域に記憶するとともに、撮影した物品の外観形態画像や基準寸法物品の外観形態画像、サイズ比較物品の外観形態画像をインターネット１９を介してシステムサーバ１０に送信（投稿）することができる。なお、ノート型パソコン１５では、デジタルカメラ１４（３Ｄカメラを含む）によって撮影した物品の外観形態画像や基準寸法物品の外観形態画像、サイズ比較物品の外観形態画像をデジタルカメラ１４から取り込み、取り込んだ物品の外観形態画像や基準寸法物品の外観形態画像、サイズ比較物品の外観形態画像をインターネット１９を介してシステムサーバ１０に送信（投稿）する。
【００４９】
メーカーサーバ１１や販売店サーバ１２は、固定式のデジタルカメラ２０（３Ｄカメラを含む）によって撮影した物品の外観形態画像をデジタルカメラ２０から取り込み、取り込んだ物品の外観形態画像と物品の撮影地点（カメラ２０のレンズ）から物品までの距離と物品の撮影時におけるカメラ２０の撮影倍率（ズーム）とをインターネット１９を介してシステムサーバ１０に送信することができる。
【００５０】
メーカーサーバ１１や販売店サーバ１２は、固定式のデジタルカメラ２０によって撮影したサイズ比較用のサイズ比較物品の外観形態画像をデジタルカメラ２０から取り込み、取り込んだサイズ比較物品の外観形態画像とサイズ比較物品の撮影地点（カメラ２０のレンズ）からサイズ比較物品までの距離とサイズ比較物品の撮影時におけるカメラ２０の撮影倍率（ズーム）とをインターネット１９を介してシステムサーバ１０に送信することができる。
【００５１】
システムサーバ１０のメモリには、外観形態表示システムの各手段を実行するアプリケーションが記憶（格納）されている。システムサーバ１０は、オペレーティングシステムの制御に従ってアプリケーションを起動し、起動したアプリケーションによって以下の各手段を実行する。システムサーバ１０は、メーカーサーバ１１や販売店サーバ１２から送信された物品の外観形態画像（デジタル撮影機能によって撮影された物品の外観形態デジタル画像データ）を受信するとともに、撮影地点（固定式のデジタルカメラ２０のレンズ）から物品までの距離と物品の撮影時におけるカメラ２０の撮影倍率（ズーム）とを受信し、受信した物品の外観形態画像や距離、撮影倍率（ズーム）を記憶領域に記憶（格納）する画像記憶手段を実行する。
【００５２】
システムサーバ１０は、それら携帯通信端末１５〜１８から送信された（ユーザーから投稿された）物品の外観形態画像（デジタル撮影機能によって撮影された物品の外観形態デジタル画像データ）および物品の採寸（各種寸法の測定）に使用する既知寸法（一定の寸法が把握可能）の基準寸法物品の基準寸法画像（デジタル撮影機能によって撮影された既知寸法の基準寸法デジタル画像データ）を受信し（取り込み）、受信した物品の外観形態画像と基準寸法物品の基準寸法画像とを記憶領域に記憶（格納）する画像記憶手段を実行する。なお、物品の外観形態画像と基準寸法物の基準寸法画像とは、同時に撮影されて同一画面（一画面）に映る画像データであり、または、同一の距離および同一の方向から別々に撮影された画像データである。
【００５３】
システムサーバ１０は、基準寸法物品の基準寸法画像の既知寸法を物品の外観形態画像に適用して物品を採寸する第１採寸手段を実行し、物品の外観形態画像の撮影地点（カメラ２０のレンズ）から物品までの距離と物品の撮影時におけるカメラ２０の撮影倍率（ズーム）とから物品を採寸する第１採寸手段を実行する。システムサーバ１０は、第１採寸手段によって採寸した物品の各種寸法に基づいて物品の原寸大の外観形態画像（原寸大外観形態画像データ）を生成する外観形態画像生成手段を実行し、外観形態画像生成手段によって生成した物品の原寸大の外観形態画像を記憶領域に記憶（格納）する外観形態画像記憶手段を実行する。
【００５４】
システムサーバ１０は、第１採寸手段によって採寸した物品の各種寸法を変更する寸法変更手段を実行する。システムサーバ１０は、寸法変更手段によって変更された物品の各種寸法に基づいて寸法変更後の物品の原寸大の外観形態変更画像（原寸大外観形態変更画像データ）を生成する外観形態変更画像生成手段を実行し、外観形態変更画像生成手段によって生成した外観形態変更画像を記憶領域に記憶（格納）する外観形態変更画像記憶手段を実行する。システムサーバ１０は、外観形態画像生成手段によって生成した物品の原寸大の外観形態画像を大型ディスプレイ１３に表示し、外観形態変更画像生成手段によって生成した物品の外観形態変更画像を大型ディスプレイ１３に表示する原寸大画像表示手段を実行する。
【００５５】
システムサーバ１０は、原寸大画像表示手段において物品の原寸大の外観形態画像や物品の外観形態変更画像を２次元画像として大型ディスプレイ１３に表示し、または、物品の原寸大の外観形態画像や物品の外観形態変更画像を３次元画像として大型ディスプレイ１３に表示する。さらに、原寸大画像表示手段において物品の原寸大の外観形態画像や物品の外観形態変更画像の異なる方向から見た複数の２次元画像を大型ディスプレイ１３に表示し、または、物品の原寸大の外観形態画像や物品の外観形態変更画像の異なる方向から見た複数の３次元画像を大型ディスプレイ１３に表示する。システムサーバ１０は、原寸大画像表示手段において３次元画像として表示された物品の原寸大の外観形態画像や物品の外観形態変更画像を所定の方向へ回転させつつ、回転させた３次元画像を大型ディスプレイ１３に表示する。
【００５６】
システムサーバ１０は、原寸大画像表示手段において物品の原寸大の外観形態画像とともに第１採寸手段によって採寸した物品の各種寸法を大型ディスプレイ１３に表示し、寸法変更手段によって変更された物品の各種寸法を大型ディスプレイ１３に表示する。さらに、原寸大画像表示手段において物品の原寸大の外観形態画像や物品の外観形態変更画像とともに長さを伸縮可能なスケール画像２６（図１３，１６参照）を大型ディスプレイ１３に表示する。スケール画像２６は、それを物品の原寸大の外観形態画像や物品の外観形態変更画像の所定の箇所にあてがうことができ、スケール画像２６を利用して物品の原寸大の外観形態画像や物品の外観形態変更画像の所定の箇所の寸法を測ることができる。
【００５７】
システムサーバ１０は、第１採寸手段によって採寸した物品の各種寸法に基づいて所定の縮尺倍率に縮尺された物品の外観形態縮尺画像（外観形態縮尺画像データ）を生成する縮尺画像生成手段を実行する。システムサーバ１０は、縮尺画像生成手段によって生成した物品の外観形態縮尺画像を記憶領域に記憶（格納）する縮尺画像記憶手段を実行する。
【００５８】
システムサーバ１０は、メーカーサーバ１１や販売店サーバ１２から送信されたサイズ比較物品の外観形態比較画像（デジタル撮影機能によって撮影されたサイズ比較物品の外観形態デジタル画像データ）を受信するとともに、撮影地点（固定式のデジタルカメラ２０のレンズ）からサイズ比較物品までの距離とサイズ比較物品の撮影時におけるカメラ２０の撮影倍率（ズーム）とを受信し、受信したサイズ比較物品の外観形態画像や距離、撮影倍率（ズーム）を記憶領域に記憶（格納）する比較画像記憶手段を実行する。
【００５９】
システムサーバ１０は、それら携帯通信端末１５〜１８から送信された（ユーザーから投稿された）サイズ比較物品の外観形態比較画像（デジタル撮影機能によって撮影されたサイズ比較物品の外観形態デジタル画像データ）およびサイズ比較物品の採寸（各種寸法の測定）に使用する既知寸法（一定の寸法が把握可能）の基準寸法物品の基準寸法画像（デジタル撮影機能によって撮影された既知寸法の基準寸法デジタル画像データ）を受信し（取り込み）、受信したサイズ比較物品の外観形態比較画像と基準寸法物品の基準寸法画像とを記憶領域に記憶（格納）する比較画像記憶手段を実行する。なお、サイズ比較物品の外観形態比較画像と基準寸法物の基準寸法画像とは、同時に撮影されて同一画面（一画面）に映る画像データであり、または、同一の距離および同一の方向から別々に撮影された画像データである。
【００６０】
システムサーバ１０は、基準寸法物品の基準寸法画像の既知寸法をサイズ比較物品の外観形態比較画像に適用してサイズ比較物品を採寸する第２採寸手段を実行し、サイズ比較物品の外観形態比較画像の撮影地点（カメラ２０のレンズ）からサイズ比較物品までの距離とサイズ比較物品の撮影時におけるカメラ２０の撮影倍率（ズーム）とからサイズ比較物品を採寸する第２採寸手段を実行する。システムサーバ１０は、第２採寸手段によって採寸したサイズ比較物品の各種寸法に基づいて所定の縮尺倍率に縮尺されたサイズ比較物品の外観形態縮尺画像（外観形態縮尺画像データ）を生成するサイズ比較画像生成手段を実行し、サイズ比較画像生成手段によって生成したサイズ比較物品の外観形態縮尺画像を記憶領域に記憶（格納）するサイズ比較画像記憶手段を実行する。
【００６１】
システムサーバ１０は、複数のサイズ比較画像を大型ディスプレイ１３やそれら携帯通信端末１５〜１８のディスプレイに表示するサイズ比較画像表示手段を実行する。システムサーバ１０は、物品の所定の縮尺倍率に縮尺した外観形態縮尺画像を大型ディスプレイ１３やそれら携帯通信端末１５〜１８のディスプレイに表示するとともに、外観形態縮尺画像とサイズを比較するサイズ比較物品の所定の縮尺倍率に縮尺したサイズ比較画像を外観形態縮尺画像に並べて大型ディスプレイ１３やそれら携帯通信端末１５〜１８のディスプレイに表示する縮尺画像表示手段を実行する。
【００６２】
システムサーバ１０は、サイズ比較画像表示手段によって表示された複数のサイズ比較画像の中から所定のサイズ比較画像が選択された場合、選択されたサイズ比較画像を外観形態縮尺画像に並べて大型ディスプレイ１３やそれら携帯通信端末１５〜１８のディスプレイに表示する。システムサーバ１０は、外観形態縮尺画像表示手段において物品の外観形態縮尺画像を２次元画像または３次元画像として大型ディスプレイ１３やそれら携帯通信端末１５〜１８のディスプレイに表示する。
【００６３】
システムサーバ１０は、外観形態縮尺画像表示手段において物品の外観形態縮尺画像の異なる方向から見た２次元画像または３次元画像を大型ディスプレイ１３やそれら携帯通信端末１５〜１８のディスプレイに表示する。システムサーバ１０は、外観形態縮尺画像表示手段において３次元画像として表示された物品の外観形態縮尺画像を所定の方向へ回転させつつ、回転させた３次元画像を大型ディスプレイ１３やそれら携帯通信端末１５〜１８のディスプレイに表示する。システムサーバ１０は、外観形態縮尺画像表示手段において物品の外観形態縮尺画像とともに第１採寸手段によって採寸した物品の各種寸法を大型ディスプレイ１３やそれら携帯通信端末１５〜１８のディスプレイに表示する。
【００６４】
図２は、ユーザーによる物品および基準寸法物品撮影の一例を示す図である。ユーザーは、それら携帯通信端末１５〜１８（デジタルカメラ１４（３Ｄカメラを含む）＋ノート型パソコン１５、タブレットＰＣ１６、スマートフォン１７、携帯電話１８）を利用してＴシャツ２１（物品）および５００円玉２２（基準寸法物品）を同時に撮影し、撮影したＴシャツ２１の外観形態画像（２次元画像または３次元画像）と５００円玉２２の基準寸法画像（２次元画像または３次元画像）とをシステムサーバ１０に投稿（送信）する。
【００６５】
ユーザーは、それら携帯通信端末１５〜１８（デジタルカメラ１４＋ノート型パソコン１５、タブレットＰＣ１６、スマートフォン１７、携帯電話１８）を利用してインターネット１９に接続し、インターネット１９を介してシステムのサイトにアクセスしつつ、システムにログインする。それら携帯通信端末１５〜１８がシステムにログインすると、それら携帯通信端末１５〜１８のディスプレイにシステムのメニュー画面（初期画面）（図示せず）が表示される。
【００６６】
メニュー画面には、物品画像投稿ボタン、比較物品画像投稿ボタン、原寸大画像表示ボタン、縮尺画像表示ボタン、サイズ比較画像表示ボタンが表示される。ユーザーが物品画像投稿ボタンをタップ（クリック）すると、それら携帯通信端末１５〜１８のディスプレイに物品画像投稿画面（図示せず）が表示される。ユーザーは、物品画像投稿画面の投稿案内メッセージに従い、図２に示すように、Ｔシャツ２１の近傍（横）にＴシャツ２１の採寸に使用する既知寸法の５００円玉２２を置き、それら携帯通信端末１５〜１８のデジタル撮影機能によってＴシャツ２１の全体と５００円玉２２の全体とが一つのフレーム２４（１画面）に入るように、Ｔシャツ２１と５００円玉２２とを同時に撮影する。
【００６７】
ユーザーは、撮影したＴシャツ２１の外観形態画像（２次元画像または３次元画像）と５００円玉２２の基準寸法画像（２次元画像または３次元画像）とをインターネット１９を利用してシステムサーバ１０に送信する。ユーザーは、既述の手順で各種複数のＴシャツ２１（５００円玉２２を含む）の画像をシステムサーバ１０に送信する。システムサーバ１０は、それら携帯通信端末１５〜１８から送信された各種複数のＴシャツ２１の外観形態画像および５００円玉２２の基準寸法画像を受信し（取り込み）、受信したそれらＴシャツ２１の外観形態画像および５００円玉２２の基準寸法画像（記憶日時、ユーザーの個人特定情報を含む）を端末特定情報に関連付けた状態で記憶領域に記憶（格納）する（画像記憶手段）。
【００６８】
システムサーバ１０は、ユーザーから投稿されたそれらＴシャツ２１（物品）の外観形態画像に５００円玉２２（基準寸法物品）の基準寸法画像の既知寸法を適用し、既知寸法を利用してＴシャツ２１を採寸する（第１採寸手段）。第１採寸手段では、５００円玉２２の既知の直径分（ｍｍ）の基準ピクセルをＴシャツ２１の縦横方向や斜め方向のピクセルに当て嵌め、Ｔシャツ２１の縦横方向や斜め方向のピクセルが５００円玉２２の直径の基準ピクセルに対して何倍になるかを演算し、所定の倍率に換算した基準ピクセルをメートル表示（ｍｍ）に変換する。システムサーバ１０は、第１採寸手段によって採寸したそれらＴシャツ２１の各種寸法（採寸日時、ユーザーの個人特定情報を含む）を端末特定情報に関連付けた状態で記憶領域に記憶（格納）する（採寸寸法記憶手段）。
【００６９】
システムサーバ１０は、Ｔシャツ２１の外観形態画像に５００円玉２２の基準寸法画像の既知寸法を適用することによって採寸（第１採寸手段）したＴシャツ２１の各種寸法に基づき、それらＴシャツ２１の２次元の原寸大の外観形態画像（原寸大外観形態画像データ）やそれらＴシャツ２１の３次元の原寸大の外観形態画像（原寸大外観形態画像データ）を生成する（外観形態画像生成手段）。システムサーバ１０は、外観形態画像生成手段によって生成したそれらＴシャツ２１の２次元の原寸大の外観形態画像やそれらＴシャツ２１の３次元の原寸大の外観形態画像（生成日時、ユーザーの個人特定情報を含む）を端末特定情報に関連付けた状態で記憶領域に記憶（格納）する（外観形態画像記憶手段）。
【００７０】
システムサーバ１０は、第１採寸手段によって採寸した各Ｔシャツ２１の各種寸法に基づいて所定の縮尺倍率に縮尺したそれらＴシャツ２１の外観形態縮尺画像（外観形態縮尺画像データ）を生成する（縮尺画像生成手段）。システムサーバ１０は、縮尺画像生成手段によって生成したそれらＴシャツ２１の外観形態縮尺画像（生成日時、ユーザーの個人特定情報を含む）を端末特定情報に関連付けた状態で記憶領域に記憶（格納）する（縮尺画像記憶手段）。
【００７１】
図３は、ユーザーによるサイズ比較物品およびサイズ比較物品撮影の一例を示す図である。ユーザーは、それら携帯通信端末１５〜１８（デジタルカメラ１４（３Ｄカメラを含む）＋ノート型パソコン１５、タブレットＰＣ１６、スマートフォン１７、携帯電話１８）を利用してペットボトル２３（サイズ比較物品）および５００円玉２２（基準寸法物品）を同時に撮影し、撮影したペットボトル２３の外観形態画像（２次元画像または３次元画像）と５００円玉２２の基準寸法画像（２次元画像または３次元画像）とをシステムサーバ１０に投稿（送信）する。
【００７２】
ユーザーがメニュー画面の比較物品画像投稿ボタンをタップ（クリック）すると、それら携帯通信端末１５〜１８のディスプレイに比較物品画像投稿画面（図示せず）が表示される。ユーザーは、比較物品画像投稿画面の投稿案内メッセージに従い、図３に示すように、ペットボトル２３（サイズ比較物品）の近傍（横）にペットボトル２３の採寸に使用する既知寸法の５００円玉２２（基準寸法物品）を置き、それら携帯通信端末１５〜１８のデジタル撮影機能によってペットボトル２３の全体と５００円玉２２の全体とが一つのフレーム２４（１画面）に入るように、ペットボトル２３と５００円玉２２とを同時に撮影する。
【００７３】
ユーザーは、撮影したペットボトル２３の外観形態画像（２次元画像または３次元画像）と５００円玉２２の基準寸法画像（２次元画像または３次元画像）とをインターネット１９を利用してシステムサーバ１０に送信する。ユーザーは、既述の手順で各種複数のサイズ比較物品（５００円玉を含む）の画像をシステムサーバ１０に送信する。システムサーバ１０は、それら携帯通信端末１５〜１８から送信されたペットボトル２３の外観形態画像および５００円玉２２の基準寸法画像を受信し（取り込み）、受信したペットボトル２３の外観形態画像および５００円玉２２の基準寸法画像（記憶日時、ユーザーの個人特定情報を含む）を端末特定情報に関連付けた状態で記憶領域に記憶（格納）する（比較画像記憶手段）。
【００７４】
システムサーバ１０は、ユーザーから投稿されたペットボトル２３（物品）の外観形態画像に５００円玉２２（基準寸法物品）の基準寸法画像の既知寸法を適用し、ペットボトル２３を採寸する（第２採寸手段）。第２採寸手段では、５００円玉２２の既知の直径分（ｍｍ）の基準ピクセルをペットボトル２３の縦横方向や斜め方向のピクセルに当て嵌め、ペットボトル２３の縦横方向や斜め方向のピクセルが５００円玉２２の直径の基準ピクセルに対して何倍になるかを演算し、所定の倍率に換算した基準ピクセルをメートル表示（ｍｍ）に変換する。
【００７５】
システムサーバ１０は、第２採寸手段によって採寸したペットボトル２３の各種寸法に基づいて所定の縮尺倍率に縮尺されたペットボトル２３の２次元の外観形態縮尺画像（外観形態縮尺画像データ）やペットボトル２３の３次元の外観形態縮尺画像（外観形態縮尺画像データ）を生成する（サイズ比較画像生成手段）。システムサーバ１０は、サイズ比較画像生成手段によって生成したペットボトル２３の２次元の外観形態縮尺画像やペットボトル２３の３次元の外観形態縮尺画像（生成日時、ユーザーの個人特定情報を含む）を端末特定情報に関連付けた状態で記憶領域に記憶（格納）する（サイズ比較画像記憶手段）。
【００７６】
図４は、メーカーや各販売店による物品撮影の他の一例を示す図である。Ｔシャツ２１を製造するＴシャツメーカーやＴシャツ２１を販売する各販売店は、固定式のデジタルカメラ２０（３Ｄカメラを含む）を利用してＴシャツ２１（物品）を撮影し、撮影したＴシャツ２１の外観形態画像（２次元画像または３次元画像）、撮影距離、撮影倍率（ズーム）をカメラ２０が接続されたメーカーサーバ１１や販売店サーバ１２を利用してシステムサーバ１０に送信する。
【００７７】
Ｔシャツメーカーや販売店は、メーカーサーバ１１や販売店サーバ１２を利用してインターネット１９に接続し、インターネット１９を介してシステムのサイトにアクセスしつつ、システムにログインする。メーカーサーバ１１や販売店サーバ１２がシステムにログインすると、メーカーサーバ１１や販売店サーバ１２に接続されたディスプレイにシステムのメニュー画面（図示せず）が表示される。メニュー画面には、物品画像送信ボタン、比較物品画像送信ボタン、原寸大画像表示ボタン、縮尺画像表示ボタン、サイズ比較画像表示ボタンが表示される。
【００７８】
Ｔシャツメーカーや販売店が物品画像送信ボタンをクリックすると、メーカーサーバ１１や販売店サーバ１２のディスプレイに物品画像送信画面（図示せず）が表示される。メーカーや販売店は、物品画像送信画面の送信案内メッセージに従い、図４に示すように、固定式のデジタルカメラ２０でＴシャツ２１の全体がフレーム２５（１画面）に入るように、Ｔシャツ２１を撮影する。メーカーサーバ１１や販売店サーバ１２は、撮影したＴシャツ２１の外観形態画像（２次元画像または３次元画像）と撮影地点（固定式のデジタルカメラ２０のレンズ）からＴシャツ２１までの撮影距離とＴシャツ２１の撮影時におけるカメラ２０の撮影倍率（ズーム）とをインターネット１９を利用してシステムサーバ１０に送信する。メーカーや販売店は、各種複数のＴシャツ２１の画像、撮影距離、撮影倍率をシステムサーバ１０に送信する。なお、過去に撮影して保存したＴシャツ２１の画像、撮影距離、撮影倍率をシステムサーバ１０に送信する場合もある。
【００７９】
システムサーバ１０は、メーカーサーバ１１や販売店サーバ１２から送信されたそれらＴシャツ２１の外観形態画像、撮影距離、撮影倍率（ズーム）を受信し（取り込み）、受信したＴシャツ２１の外観形態画像（記憶日時、メーカー特定情報、販売店特定情報を含む）、撮影距離、撮影倍率（ズーム）を端末特定情報に関連付けた状態で記憶領域に記憶（格納）する（画像記憶手段）。システムサーバ１０は、メーカーサーバ１１や販売店サーバ１２から送信されたＴシャツ２１の外観形態画像と撮影地点（固定式のデジタルカメラ２０のレンズ）からＴシャツ２１までの撮影距離とＴシャツ２１の撮影時におけるカメラ２０の撮影倍率（ズーム）とを用いてそれらＴシャツ２１を採寸する（第１採寸手段）。
【００８０】
なお、メーカーサーバ１１や販売店サーバ１２が各種複数のＴシャツ２１の外観形態画像（現在または過去の画像）と基準寸法物品の基準寸法画像（現在または過去の画像）とをシステムサーバ１０に送信し、サーバ１０がそれらＴシャツ２１の外観形態画像に基準寸法物品の基準寸法画像の既知寸法を適用し、既知寸法を利用してＴシャツ２１を採寸することもできる（第１採寸手段）。システムサーバ１０は、第１採寸手段によって採寸したそれらＴシャツ２１の各種寸法（採寸日時、メーカー特定情報、販売店特定情報を含む）を端末特定情報に関連付けた状態で記憶領域に記憶（格納）する（採寸寸法記憶手段）。
【００８１】
メーカーサーバ１１や販売店サーバ１２がＴシャツ２１の外観形態画像と基準寸法物品の基準寸法画像とをシステムサーバ１０に送信する場合、Ｔシャツ２１と基準寸法物品とを固定式のデジタルカメラ２０で同時に撮影し、撮影したＴシャツ２１の外観形態画像および基準寸法物品の基準寸法画像をシステムサーバ１０に送信する。また、Ｔシャツ２１と基準寸法物品とを固定式のデジタルカメラ２０で別々に撮影し、撮影したＴシャツ２１の外観形態画像と撮影した基準寸法物品の基準寸法画像とをシステムサーバ１０に送信する。Ｔシャツ２１と基準寸法物品とを別々に撮影する場合、デジタルカメラ２０からＴシャツ２１までの距離とデジタルカメラ２０から基準寸法物品までの距離とが同一であり、Ｔシャツ２１および基準寸法物品に対するデジタルカメラ２０の撮影角度が同一である。
【００８２】
システムサーバ１０は、Ｔシャツ２１の外観形態画像、撮影距離、撮影倍率（ズーム）を用いて採寸（第１採寸手段）したＴシャツ２１の各種寸法に基づき、それらＴシャツ２１の２次元の原寸大の外観形態画像（原寸大外観形態画像データ）やそれらＴシャツ２１の３次元の原寸大の外観形態画像（原寸大外観形態画像データ）を生成する（外観形態画像生成手段）。システムサーバ１０は、外観形態画像生成手段によって生成したそれらＴシャツ２１の２次元の原寸大の外観形態画像やそれらＴシャツ２１の３次元の原寸大の外観形態画像（記憶日時、メーカー特定情報、販売店特定情報を含む）を端末特定情報に関連付けた状態で記憶領域に記憶（格納）する（外観形態画像記憶手段）。
【００８３】
システムサーバ１０は、第１採寸手段によって採寸したＴシャツ２１の各種寸法に基づいて所定の縮尺倍率に縮尺したそれらＴシャツ２１の外観形態縮尺画像（外観形態縮尺画像データ）を生成する（縮尺画像生成手段）。システムサーバ１０は、縮尺画像生成手段によって生成したそれらＴシャツ２１の外観形態縮尺画像（記憶日時、メーカー特定情報、販売店特定情報を含む）を端末特定情報に関連付けた状態で記憶領域に記憶（格納）する（縮尺画像記憶手段）。
【００８４】
図５は、メーカーや各販売店によるサイズ比較物品撮影の一例を示す図である。Ｔシャツメーカーや各販売店は、固定式のデジタルカメラ２０（３Ｄカメラを含む）を利用してペットボトル２３（サイズ比較物品）を撮影し、撮影したペットボトル２３の外観形態画像（２次元画像または３次元画像）、撮影距離、撮影倍率（ズーム）をカメラ２０が接続されたメーカーサーバ１１や販売店サーバ１２を利用してシステムサーバ１０に送信する。
【００８５】
Ｔシャツメーカーや販売店が比較物品画像送信ボタンをクリックすると、メーカーサーバ１１や販売店サーバ１２のディスプレイに比較物品画像送信画面（図示せず）が表示される。メーカーや販売店は、比較物品画像送信画面の送信案内メッセージに従い、図５に示すように、固定式のデジタルカメラ２０でペットボトル２３の全体がフレーム２５（１画面）に入るように、ペットボトル２３を撮影する。メーカーサーバ１１や販売店サーバ１２は、撮影したペットボトル２３の外観形態画像（２次元画像または３次元画像）と撮影地点（固定式のデジタルカメラ２０のレンズ）からペットボトル２３までの撮影距離とペットボトル２３の撮影時におけるカメラ２０の撮影倍率（ズーム）とをインターネット１９を利用してシステムサーバ１０に送信する。メーカーや販売店は、各種複数のサイズ比較物品の画像、撮影距離、撮影倍率をシステムサーバ１０に送信する。なお、過去に撮影して保存したサイズ比較物品の画像、撮影距離、撮影倍率をシステムサーバ１０に送信する場合もある。
【００８６】
システムサーバ１０は、メーカーサーバ１１や販売店サーバ１２から送信されたペットボトル２３の外観形態画像、撮影距離、撮影倍率（ズーム）を受信し（取り込み）、受信したペットボトル２３の外観形態画像（記憶日時、メーカー特定情報、販売店特定情報を含む）、撮影距離、撮影倍率（ズーム）を端末特定情報に関連付けた状態で記憶領域に記憶（格納）する（比較画像記憶手段）。
【００８７】
システムサーバ１０は、メーカーサーバ１１や販売店サーバ１２から送信されたペットボトル２３の外観形態画像と撮影地点（固定式のデジタルカメラ２０のレンズ）からペットボトル２３までの撮影距離とペットボトル２３の撮影時におけるカメラ２０の撮影倍率（ズーム）とを用いてペットボトル２３を採寸する（第２採寸手段）。なお、メーカーサーバ１１や販売店サーバ１２がペットボトル２３の外観形態画像と基準寸法物品の基準寸法画像とをシステムサーバ１０に送信し、システムサーバ１０がペットボトル２３の外観形態画像に基準寸法物品の基準寸法画像の既知寸法を適用し、既知寸法を利用してペットボトル２３を採寸することもできる（第２採寸手段）。システムサーバ１０は、第２採寸手段によって採寸したペットボトル２３の各種寸法（採寸日時、メーカー特定情報、販売店特定情報を含む）を端末特定情報に関連付けた状態で記憶領域に記憶（格納）する（採寸寸法記憶手段）。
【００８８】
メーカーサーバ１１や販売店サーバ１２がペットボトル２３の外観形態画像と基準寸法物品の基準寸法画像とをシステムサーバ１０に送信する場合、ペットボトル２３と基準寸法物品とを固定式のデジタルカメラ２０で同時に撮影し、撮影したペットボトル２３の外観形態画像および基準寸法物品の基準寸法画像をシステムサーバ１０に送信する。また、ペットボトル２３と基準寸法物品とを固定式のデジタルカメラ２０で別々に撮影し、撮影したペットボトル２３の外観形態画像と撮影した基準寸法物品の基準寸法画像とをシステムサーバ１０に送信する。ペットボトル２３と基準寸法物品とを別々に撮影する場合、デジタルカメラ２０からペットボトル２３までの距離とデジタルカメラ２０から基準寸法物品までの距離とが同一であり、ペットボトル２３および基準寸法物品に対するデジタルカメラ２０の撮影角度が同一である。
【００８９】
システムサーバ１０は、第２採寸手段によって採寸したペットボトル２３の各種寸法に基づいて所定の縮尺倍率に縮尺されたペットボトル２３の２次元の外観形態縮尺画像（外観形態縮尺画像データ）やペットボトル２３の３次元の外観形態縮尺画像（外観形態縮尺画像データ）を生成する（サイズ比較画像生成手段）。システムサーバ１０は、サイズ比較画像生成手段によって生成したペットボトル２３の２次元の外観形態縮尺画像やペットボトル２３の３次元の外観形態縮尺画像（記憶日時、メーカー特定情報、販売店特定情報を含む）を端末特定情報に関連付けた状態で記憶領域に記憶（格納）する（サイズ比較画像記憶手段）。
【００９０】
外観形態表示システムは、採寸したＴシャツ２１（物品）の各種寸法に基づいて所定の縮尺倍率に縮尺されたＴシャツ２１の外観形態縮尺画像を生成するから、所定の縮尺倍率に正確に縮尺されたＴシャツ２１の外観形態縮尺画像を生成することができ、所定の縮尺倍率に正確に縮尺されたＴシャツ２１の外観形態縮尺画像を表示することができる。
【００９１】
外観形態表示システムは、デジタル撮影機能によって撮影されたサイズ比較物品（たとえば、ペットボトル２３）の外観形態比較画像や基準寸法画像を利用してサイズ比較物品を採寸するから、サイズ比較物品の実物をスケールで測って採寸する必要はなく、複数のサイズ比較物品を容易かつ効率的に採寸することができる。外観形態表示システムは、採寸したサイズ比較物品（たとえば、ペットボトル２３）の各種寸法に基づいてサイズ比較物品の所定の縮尺倍率に縮尺されたサイズ比較画像を生成するから、所定の縮尺倍率に正確に縮尺されたサイズ比較物品のサイズ比較画像を生成することができ、所定の縮尺倍率に正確に縮尺されたサイズ比較物品のサイズ比較画像を表示することができる。
【００９２】
図６は、大型ディスプレイ１３に表示された検索画面の一例を示す図であり、図７は、大型ディスプレイ１３に表示された外観形態縮尺画像表示画面の一例を示す図である（２次元）。図８は、大型ディスプレイ１３に表示された外観形態縮尺画像表示画面の他の一例を示す図であり（３次元）、図９は、大型ディスプレイ１３に表示された比較物品選択画面の一例を示す図である。図１０は、大型ディスプレイ１３に表示された外観形態比較画面の一例を示す図であり（２次元）、図１１は、大型ディスプレイ１３に表示された外観形態比較画面の他の一例を示す図である（３次元）。図７〜図１１では、各表示エリアに表示される文言の記載を省略している。
【００９３】
システムサーバ１０は、販売店サーバ１２を介してサーバ１２に接続された大型ディスプレイ１３に図６に示す検索画面を表示する。検索画面には、システムサーバ１０の記憶領域に記憶された各種複数のＴシャツ２１（物品）の選択画像が表示されるとともに、縮尺画像表示ボタン６ａ、実物大画像表示ボタン６ｂ、全表示ボタン６ｃ、販売店表示ボタン６ｄ、メーカー表示ボタン６ｅ、ユーザー表示ボタン６ｆ、カートに入れるボタン６ｇが表示される。
【００９４】
全表示ボタン６ｃをタップ（クリック）すると、メーカーや販売店、ユーザーから送信された各種複数のすべてのＴシャツ２１（物品）が大型ディスプレイ１３に表示され、販売店表示ボタン６ｄをタップ（クリック）すると、販売店から送信された各種複数のＴシャツ２１（物品）が大型ディスプレイ１３に表示される。メーカー表示ボタン６ｅをタップ（クリック）すると、メーカーから送信された各種複数のＴシャツ２１（物品）が大型ディスプレイ１３に表示され、ユーザー表示ボタン６ｆをタップ（クリック）すると、ユーザーから送信された各種複数のＴシャツ２１（物品）が大型ディスプレイ１３に表示される。
【００９５】
販売店に来店したユーザーは、検索画面の選択画像に表示された各種複数のＴシャツ２１から所望のそれをタップ（クリック）し、所望のＴシャツ２１を反転させた後、そのＴシャツ２１の縮尺画像や実物大画像を見ることができる。なお、図６の検索画面のスクロールボタンをタップ（クリック）することで、選択画像がスクロールし、次の各種複数のＴシャツ２１の選択画像が検索画面に表示される。また、所望のＴシャツ２１を反転させた後、カートに入れるボタン６ｇをタップ（クリック）することで、そのＴシャツ２１を購入する手続きに移ることができる（以下のカートに入れるボタンも同様）。
【００９６】
ユーザーが所望のＴシャツ２１の縮尺画像を見るには、所定のＴシャツ２１を反転させた後、縮尺画像表示ボタン６ａをタップ（クリック）する。縮尺画像表示ボタン６ａをタップ（クリック）すると、システムサーバ１０は、選択されたＴシャツ２１の２次元外観形態画像（記憶日時、個人特定情報、メーカー特定情報、販売店特定情報）を記憶領域から抽出し、抽出したＴシャツ２１の２次元外観形態画像を販売店サーバ１２に送信するとともに、販売店サーバ１２に接続された大型ディスプレイ１３に図７に示す２次元外観形態縮尺画像表示画面を表示する（縮尺画像表示手段）。外観形態縮尺画像表示画面には、所定の縮尺倍率に縮尺されたＴシャツ２１の２次元縮尺画像を表示した２次元縮尺画像表示エリア７ａ、Ｔシャツ２１の商品説明を表示した商品説明表示エリア７ｂ、Ｔシャツ２１の各種寸法を表示した寸法表示エリア７ｃ、Ｔシャツ２１の縮尺倍率を表示した縮尺倍率表示エリア７ｄが表示される。
【００９７】
さらに、３次元画像表示ボタン７ｅ、異方向表示ボタン７ｆ、比較物表示ボタン７ｇ、実物大表示ボタン７ｈ、Ｔシャツ２１の価格を表示した価格エリア７ｉ、カートに入れるボタン７ｊ、検索画面表示ボタン７ｋが表示される。商品説明表示エリア７ｂには、２次元縮尺画像表示エリア７ａに表示されたＴシャツ２１の材質や製法、個人特定情報、メーカー特定情報、販売店特定情報等の商品説明が表示される（以下の商品説明表示エリアも同様）。寸法表示エリア７ｃには、２次元縮尺画像表示エリア７ａに表示されたＴシャツ２１の各種寸法（着丈、身巾、袖丈、肩巾等）が表示される（以下の寸法表示エリアも同様）。
【００９８】
縮尺倍率表示エリア７ｄのプルダウンリストから所定の縮尺倍率を選択すると、選択した縮尺倍率のＴシャツ２１の２次元縮尺画像が２次元縮尺画像表示エリア７ａに表示される（以下の縮尺倍率表示エリアも同様）。異方向表示ボタン７ｆをタップ（クリック）すると、Ｔシャツ２１の異なる方向から見た２次元縮尺画像が２次元縮尺画像表示エリア７ａに表示される（以下の異方向表示ボタンも同様）。検索画面表示ボタン７ｋをタップ（クリック）すると、図６の検索画面が大型ディスプレイ１３に表示される（以下の検索画面表示ボタンも同様）。
【００９９】
ユーザーが所望のＴシャツ２１の３次元縮尺画像を見るには、図７の外観形態縮尺画像表示画面の３次元画像表示ボタン７ｅをタップ（クリック）する。３次元画像表示ボタン７ｅをタップ（クリック）すると、システムサーバ１０は、選択されたＴシャツ２１の３次元外観形態画像（記憶日時、個人特定情報、メーカー特定情報、販売店特定情報）を記憶領域から抽出し、抽出したＴシャツ２１の３次元外観形態画像を販売店サーバ１２に送信するとともに、販売店サーバ１２に接続された大型ディスプレイ１３に図８に示す３次元外観形態縮尺画像表示画面を表示する（縮尺画像表示手段）。外観形態縮尺画像表示画面には、所定の縮尺倍率に縮尺されたＴシャツ２１の３次元外観形態縮尺画像を表示した３次元縮尺画像表示エリア８ａ、Ｔシャツ２１の商品説明を表示した商品説明表示エリア８ｂ、Ｔシャツ２１の各種寸法を表示した寸法表示エリア８ｃ、Ｔシャツ２１の縮尺倍率を表示した縮尺倍率表示エリア８ｄが表示される。
【０１００】
さらに、２次元画像表示ボタン８ｅ、異方向表示ボタン８ｆ、回転表示ボタン７ｇ、比較物表示ボタン７ｈ、実物大表示ボタン７ｉ、価格エリア７ｊ、カートに入れるボタン７ｋ、検索画面表示ボタン７ｌが表示される。回転表示ボタン７ｇをタップ（クリック）すると、Ｔシャツ２１の３次元外観形態縮尺画像を所定の方向へ回転させつつ、回転させた３次元外観形態縮尺画像が３次元縮尺画像表示エリア８ａに表示される（以下の回転表示ボタンも同様）。２次元画像表示ボタン８ｅをタップ（クリック）すると、図７の２次元外観形態縮尺画像表示画面が大型ディスプレイ１３に表示される。
【０１０１】
ユーザーが所望のＴシャツ２１と比較するサイズ比較物品を見るには、図７や図８の外観形態縮尺画像表示画面の比較物表示ボタン７ｇ，８ｈをタップ（クリック）する。比較物表示ボタン７ｇ，８ｈをタップ（クリック）すると、システムサーバ１０は、各種複数のサイズ比較物品の２次元画像および３次元画像を抽出し、抽出したサイズ比較物品の２次元画像および３次元画像を販売店サーバ１２に送信するとともに、販売店サーバ１２に接続された大型ディスプレイ１３に図９に示す比較物品表示画面を表示する（サイズ比較画像表示手段）。
【０１０２】
比較物品表示画面には、システムサーバ１０の記憶領域に記憶された各種複数のサイズ比較物品の所定の縮尺倍率に縮尺されたサイズ比較画像が表示されるとともに、所定の縮尺倍率に縮尺されたＴシャツ２１の２次元外観形態縮尺画像を表示した２次元縮尺画像表示エリア９ａ、２次元画像表示ボタン９ｂ、３次元画像表示ボタン９ｃが表示される。なお、図９の比較物品表示画面のスクロールボタンをタップ（クリック）することで、比較物品表示画面がスクロールし、次の各種複数のサイズ比較物品のサイズ比較画像が比較物品表示画面に表示される。
【０１０３】
ユーザーは、所定の縮尺倍率に縮尺されたＴシャツ２１のサイズ（大きさ、寸法）を判断するためにＴシャツ２１と比較するサイズ比較物品を選択する。ユーザーは、図９の比較物品表示画面の選択画像からサイズ（大きさ、寸法）の比較に適したペットボトル２３（サイズ比較物品）を反転させた後、２次元画像表示ボタン９ｂまたは３次元画像表示ボタン９ｃをタップ（クリック）する。２次元画像表示ボタン９ｂをタップ（クリック）すると、システムサーバ１０は、販売店サーバ１２を介して大型ディスプレイ１３に図１０に示す２次元外観形態比較画像表示画面を表示する（縮尺画像表示手段）。
【０１０４】
２次元外観形態比較画像表示画面には、２次元縮尺画像表示エリア１０ａ、Ｔシャツ２１の商品説明を表示した商品説明表示エリア１０ｂ、Ｔシャツ２１の各種寸法を表示した寸法表示エリア１０ｃ、Ｔシャツ２１の縮尺倍率を表示した縮尺倍率表示エリア１０ｄが表示される。さらに、３次元画像表示ボタン１０ｅ、異方向表示ボタン１０ｆ、比較物表示ボタン１０ｇ、実物大表示ボタン１０ｈ、価格表示エリア１０ｉ、カートに入れるボタン１０ｊ、検索画面表示ボタン１０ｋが表示される。
【０１０５】
２次元縮尺画像表示エリア１０ａには、所定の縮尺倍率に縮尺されたＴシャツ２１（物品）の２次元外観形態縮尺画像と所定の縮尺倍率（Ｔシャツ２１の縮尺倍率と同一の縮尺倍率）に縮尺されたペットボトル２３（サイズ比較物品）の２次元外観形態縮尺画像とが並んで状態で表示される。比較物表示ボタン１０ｇをタップ（クリック）すると、図９の比較物品表示画面が表示される（以下の比較物表示ボタンも同様）。
【０１０６】
図９の比較物品表示画面の選択画像からサイズ（大きさ、寸法）の比較に適したペットボトル２３（サイズ比較物品）を反転させた後、比較物品表示画面の３次元画像表示ボタン９ｃをタップ（クリック）すると、システムサーバ１０は、販売店サーバ１２を介して大型ディスプレイ１３に図１１に示す３次元外観形態比較画像表示画面を表示する（縮尺画像表示手段）。３次元外観形態比較画像表示画面には、３次元縮尺画像表示エリア１１ａ、Ｔシャツ２１の商品説明を表示した商品説明表示エリア１１ｂ、Ｔシャツ２１の各種寸法を表示した寸法表示エリア１１ｃ、Ｔシャツ２１の縮尺倍率を表示した縮尺倍率表示エリア１１ｄが表示される。さらに、２次元画像表示ボタン１１ｅ、異方向表示ボタン１１ｆ、回転表示ボタン１１ｇ、比較物表示ボタン１１ｈ、実物大表示ボタン１１ｉ、価格表示エリア１１ｊ、カートに入れるボタン１１ｋ、検索画面表示ボタン１１ｌが表示される。
【０１０７】
３次元縮尺画像表示エリア１１ａには、所定の縮尺倍率に縮尺されたＴシャツ２１（物品）の３次元外観形態縮尺画像と所定の縮尺倍率（Ｔシャツ２１の縮尺倍率と同一の縮尺倍率）に縮尺されたペットボトル２３（サイズ比較物品）の３次元外観形態縮尺画像とが並んで状態で表示される。２次元画像表示ボタン１１ｅをタップ（クリック）すると、図１０の２次元外観形態比較画像表示画面が表示される。
【０１０８】
外観形態表示システムは、複数のサイズ比較画像の中から外観形態縮尺画像として表示されたＴシャツ２１（物品）のサイズ（大きさ、寸法）を予想し易い最適なサイズ比較画像（たとえば、ペットボトル２３）を選択することができ、そのサイズ比較画像を利用して外観形態縮尺画像で表示されたＴシャツ２１の実際の大きさを容易に予想することができるとともに、外観形態縮尺画像から所望のサイズ（大きさ、寸法）を有するＴシャツ２１を選定することができる。外観形態表示システムは、外観形態縮尺画像のサイズ（大きさ、寸法）を比較するペットボトル２３（サイズ比較画像）を外観形態縮尺画像に並べて表示することで、外観形態縮尺画像で表示されたＴシャツ２１（物品）の実際の大きさを容易に予想することができ、外観形態縮尺画像から所望の大きさやサイズを有するＴシャツ２１を選定することができる。
【０１０９】
図１２は、大型ディスプレイ１３に表示された２次元実物大外観形態画像表示画面の一例を示す図であり（２次元）、図１３は、大型ディスプレイ１３に表示された２次元スケール画像表示画面の一例を示す図である。図１４は、大型ディスプレイ１３に表示された２次元実物大外観形態変更画像表示画面の他の一例を示す図である（２次元寸法変更）。図１２〜図１４では、各表示エリアに表示される文言の記載を省略している。
【０１１０】
ユーザーが所望のＴシャツ２１の実物大の原寸大外観形態画像を見るには、図６の検索画面において所定のＴシャツ２１を反転させた後、実物大画像表示ボタン６ｂをタップ（クリック）する。なお、図６の検索画面において２つのＴシャツ２１が選択されたものとする。実物大画像表示ボタン６ｂをタップ（クリック）すると、システムサーバ１０は、選択されたＴシャツ２１の原寸大の２次元外観形態画像（記憶日時、個人特定情報、メーカー特定情報、販売店特定情報）を記憶領域から抽出し、抽出したＴシャツ２１の２次元外観形態画像を販売店サーバ１２に送信するとともに、販売店サーバ１２に接続された大型ディスプレイ１３に図１２に示す２次元実物大外観形態画像表示画面を表示する（原寸大画像表示手段）。
【０１１１】
２次元実物大外観形態画像表示画面には、原寸大のそれらＴシャツ２１の２次元実物大外観形態画像を表示した２次元実物大外観形態画像表示エリア１２ａ，１２ｄ、それらＴシャツ２１の商品説明を表示した商品説明表示エリア１２ｂ，１２ｅ、それらＴシャツ２１の各種寸法を表示した寸法表示エリア１２ｃ，１２ｆが表示される。さらに、３次元画像表示ボタン１２ｇ、異方向表示ボタン１２ｈ、横並び表示ボタン１２ｉ、重ね合わせ表示ボタン１２ｊ、寸法変更ボタン１２ｋ、スケール表示ボタン１２ｌ、縮尺画像表示ボタン１２ｍ、価格表示エリア１２ｎ、カートに入れるボタン１２ｏ、検索画面表示ボタン１２ｐが表示される。なお、１つのＴシャツ２１を選択すると、選択した原寸大の１つのみのＴシャツ２１が２次元実物大縮尺画像表示エリアに表示される。
【０１１２】
横並び表示ボタン１２ｉが反転し、タップ（クリック）不可になっている。異方向表示ボタン１２ｈをタップ（クリック）すると、Ｔシャツ２１の異なる方向から見た２次元実物大外観形態画像が２次元実物大外観形態画像表示エリア１２ａ，１２ｄに表示される（以下の異方向表示ボタンも同様）。縮尺画像表示ボタン１２ｍをタップ（クリック）すると、大型ディスプレイ１３に図７の２次元外観形態縮尺画像表示画面が表示される（以下の縮尺画像表示ボタンも同様）。
【０１１３】
重ね合わせ表示ボタン１２ｊをタップ（クリック）すると、２次元実物大外観形態画像表示画面に１つの２次元外観形態重なり画像表示エリア（図示せず）が表示され、それら２次元縮尺画像表示エリア１２ａ，１２ｄに表示されたＴシャツ２１が重なり合い、重なり合うＴシャツ２１が２次元外観形態重なり画像表示エリアに表示される。２次元外観形態重なり画像表示エリアに表示されたそれらＴシャツ２１は、上に重なるＴシャツ２１が半透明になり、下に重なるＴシャツ２１が上に重なるＴシャツ２１から透けて見えるようになっている。
【０１１４】
Ｔシャツ２１の原寸大の２次元実物外観形態画像にスケール画像２６（定規画像）を表示するには、図１２の２次元実物大外観形態画像表示画面の２次元実物大外観形態画像表示エリア１２ａ，１２ｄからいずれかのＴシャツ２１の２次元実物大外観形態画像を選択した後（反転させた後）、図１２の２次元実物大外観形態画像表示画面のスケール表示ボタン１２ｌをタップ（クリック）する。スケール表示ボタン１２ｌをタップ（クリック）すると、システムサーバ１０は、大型ディスプレイ１３に図１３に示す２次元スケール画像表示画面を表示する（原寸大画像表示手段）。
【０１１５】
図１３の２次元実物大外観形態画像表示画面には、原寸大のＴシャツ２１の２次元実物大外観形態画像とスケールのスケール画像２６とを表示した２次元実物大外観形態画像表示エリア１３ａ、Ｔシャツ２１の商品説明を表示した商品説明表示エリア１３ｂ、Ｔシャツ２１の各種寸法を表示した寸法表示エリア１３ｃが表示される。さらに、２次元元画像表示ボタン１３ｄ、３次元画像表示ボタン１３ｅ、異方向表示ボタン１３ｆ、寸法変更ボタン１３ｇ、縮尺画像表示ボタン１３ｈ、価格表示エリア１３ｉ、カートに入れるボタン１３ｊ、検索画面表示ボタン１３ｋが表示される。
【０１１６】
２次元元画像表示ボタン１３ｄをタップ（クリック）すると、大型ディスプレイ１３に図１２の２次元実物大外観形態画像表示画面が表示される。２次元実物大外観形態画像表示エリア１３ａでは、そこに表示されたスケール画像２６の長さを伸縮させることができ、長さを伸縮させたスケール画像２６を原寸大のＴシャツ２１の２次元実物大外観形態画像の所定の箇所にあてがうことができる。スケール画像２６を原寸大のＴシャツ２１の２次元実物大外観形態画像の所定の箇所にあてがうと、あてがった箇所におけるＴシャツ２１の寸法（長さ）が２次元実物大外観形態画像表示エリア１３ａに表示され、あてがった箇所の寸法（長さ）を測ることができる。
【０１１７】
図１２の２次元実物大外観形態画像表示画面の２次元実物大外観形態画像表示エリア１２ａ，１２ｄに表示されたＴシャツ２１の各種寸法を変更するには、２次元実物大外観形態画像表示エリア１２ａ，１２ｄからいずれかのＴシャツ２１の２次元実物大外観形態画像を選択した後（反転させた後）、図１２の２次元実物大外観形態画像表示画面の寸法変更ボタン１２ｋをタップ（クリック）し、または、図１３の２次元実物大外観形態画像表示画面の寸法変更ボタン１３ｇをタップ（クリック）する。寸法変更ボタン１２ｋ，１３ｇをタップ（クリック）すると、システムサーバ１０は、大型ディスプレイ１３に図１４に示す２次元実物大外観形態変更画像表示画面を表示する（原寸大画像表示手段）。
【０１１８】
図１４の２次元実物大外観形態変更画像表示画面には、選択されたＴシャツ２１の２次元実物大外観形態画像を表示した２次元実物大外観形態画像表示エリア１４ａ、２次元実物大外観形態画像表示エリア１４ａに表示されたＴシャツ２１の各種寸法を変更する寸法変更エリア１４ｂ、寸法が変更されたＴシャツ２１の２次元実物大外観形態変更画像を表示する２次元実物大外観形態変更画像表示エリア１４ｃが表示される。さらに、２次元元画像表示ボタン１４ｄ、３次元画像表示ボタン１４ｅ、異方向表示ボタン１４ｆ、スケール表示ボタン１４ｇ、縮尺画像表示ボタン１４ｈ、オーダー注文ボタン１４ｉ、検索画面表示ボタン１４ｊが表示される。
【０１１９】
２次元実物大外観形態画像表示エリア１４ａに表示されたＴシャツ２１の各種寸法（着丈、身巾、袖丈、肩巾等）を変更するには、寸法変更エリア１４ｂに表示されたＴシャツ２１の各種寸法を変更した後、寸法変更エリア１４ｂに表示された決定ボタンをタップ（クリック）する。決定ボタンをタップ（クリック）すると、システムサーバ１０は、第１採寸手段によって採寸したＴシャツ２１の各種寸法を変更し（寸法変更手段）、寸法変更手段によって変更されたＴシャツ２１の各種寸法に基づいて寸法変更後のＴシャツ２１の原寸大の２次元実物大外観形態変更画像（原寸大外観形態変更画像データ）を生成する（外観形態変更画像生成手段）。システムサーバ１０は、外観形態変更画像生成手段によって生成したＴシャツ２１の原寸大の２次元実物大外観形態変更画像（生成日時、個人特定情報、メーカー特定情報、販売店特定情報を含む）を記憶領域に記憶（格納）する（外観形態変更画像記憶手段）。システムサーバ１０は、外観形態変更画像生成手段によって生成したＴシャツ２１の原寸大の２次元実物大外観形態変更画像を販売店サーバ１２に送信するとともに、販売店サーバ１２に接続された大型ディスプレイ１３の２次元実物大外観形態変更画像表示エリア１４ｃにＴシャツ２１の原寸大の２次元実物大外観形態変更画像を表示する（原寸大画像表示手段）。
【０１２０】
Ｔシャツ２１の各種寸法を変更し、２次元実物大外観形態変更画像表示エリア１４ｃに表示された２次元実物大外観形態変更画像のＴシャツ２１を注文するには、オーダー注文ボタン１４ｈをタップ（クリック）する。オーダー注文ボタン１４ｈをタップ（クリック）すると、２次元実物大外観形態変更画像（各種寸法を含む）のＴシャツ２１のオーダー依頼がシステムサーバ１０からメーカーサーバ１１や販売店サーバ１２に送信される。メーカーや販売店が２次元実物大外観形態変更画像のＴシャツ２１のオーダーを受付可能である場合、２次元実物大外観形態変更画像のＴシャツ２１の受注完了メッセージが大型ディスプレイ１３に表示される。
【０１２１】
Ｔシャツ２１の原寸大の２次元実物外観形態変更画像にスケール画像２６（定規画像）を表示するには、スケール表示ボタン１４ｇをタップ（クリック）する。スケール表示ボタン１４ｇをタップ（クリック）すると、原寸大のＴシャツ２１の２次元実物大外観形態変更画像とスケールのスケール画像２６とを表示した図１３と同様の２次元実物大外観形態画像表示画面が大型ディスプレイ１３に表示される。長さを伸縮させたスケール画像２６を原寸大のＴシャツ２１の２次元実物大外観形態変更画像の所定の箇所にあてがうことができる。スケール画像２６を原寸大のＴシャツ２１の２次元実物大外観形態変更画像の所定の箇所にあてがうと、あてがった箇所におけるＴシャツ２１の寸法（長さ）が表示され、あてがった箇所の寸法（長さ）を測ることができる。
【０１２２】
図１５は、大型ディスプレイ１３に表示された３次元実物大外観形態画像表示画面の他の一例を示す図であり（３次元）、図１６は、大型ディスプレイ１３に表示された３次元スケール画像表示画面の他の一例を示す図である。図１７は、大型ディスプレイ１３に表示された３次元実物大外観形態変更画像表示画面の他の一例を示す図である（３次元寸法変更）。図１５〜図１７では、各表示エリアに表示される文言の記載を省略している。
【０１２３】
ユーザーが所望のＴシャツ２１の実物大の３次元原寸大外観形態画像を見るには、図１２の２次元実物大外観形態画像表示画面の３次元画像表示ボタン１２ｇや図１３の２次元実物大外観形態画像表示画面の３次元画像表示ボタン１３ｅ、図１４の２次元実物大外観形態変更画像表示画面の３次元画像表示ボタン１４ｅをタップ（クリック）する。３次元画像表示ボタン１２ｇ，１３ｅ，１４ｅをタップ（クリック）すると、システムサーバ１０は、選択されたＴシャツ２１の原寸大の３次元外観形態画像（記憶日時、個人特定情報、メーカー特定情報、販売店特定情報）を記憶領域から抽出し、抽出したＴシャツ２１の３次元外観形態画像を販売店サーバ１２に送信するとともに、販売店サーバ１２に接続された大型ディスプレイ１３に図１５に示す３次元実物大外観形態画像表示画面を表示する（原寸大画像表示手段）。
【０１２４】
３次元実物大外観形態画像表示画面には、原寸大のそれらＴシャツ２１の３次元実物大外観形態画像を表示した３次元実物大外観形態画像表示エリア１５ａ，１５ｄ、それらＴシャツ２１の商品説明を表示した商品説明表示エリア１５ｂ，１５ｅ、それらＴシャツ２１の各種寸法を表示した寸法表示エリア１５ｃ，１５ｆが表示される。さらに、２次元画像表示ボタン１５ｇ、異方向表示ボタン１５ｈ、回転表示ボタン１５ｉ、横並び表示ボタン１５ｊ、重ね合わせ表示ボタン１５ｋ、寸法変更ボタン１５ｌ、スケール表示ボタン１５ｍ、縮尺画像表示ボタン１５ｎ、価格表示エリア１５ｏ、カートに入れるボタン１５ｐ、検索画面表示ボタン１５ｑが表示される。なお、１つのＴシャツ２１を選択すると、選択した原寸大の１つのみのＴシャツ２１が３次元実物大縮尺画像表示エリアに表示される。
【０１２５】
横並び表示ボタン１５ｊが反転し、タップ（クリック）不可になっている。
異方向表示ボタン１５ｈをタップ（クリック）すると、Ｔシャツ２１の異なる方向から見た３次元実物大外観形態画像が３次元実物大外観形態画像表示エリア１５ａ，１５ｄに表示される（以下の異方向表示ボタンも同様）。回転表示ボタン１５ｉをタップ（クリック）すると、Ｔシャツ２１の３次元実物大外観形態画像を所定の方向へ回転させつつ、回転させた３次元実物大外観形態画像が３次元実物大外観形態画像表示エリア１５ａ，１５ｄに表示される（以下の回転表示ボタンも同様）。縮尺画像表示ボタン１５ｎをタップ（クリック）すると、大型ディスプレイ１３に図８の３次元外観形態縮尺画像表示画面が表示される（以下の縮尺画像表示ボタンも同様）。
【０１２６】
重ね合わせ表示ボタン１５ｋをタップ（クリック）すると、３次元実物大外観形態画像表示画面に１つの３次元外観形態重なり画像表示エリア（図示せず）が表示され、それら３次元縮尺画像表示エリア１５ａ，１５ｄに表示されたＴシャツ２１が重なり合い、重なり合うＴシャツ２１が３次元外観形態重なり画像表示エリアに表示される。３次元外観形態重なり画像表示エリアに表示されたそれらＴシャツ２１は、上に重なるＴシャツ２１が半透明になり、下に重なるＴシャツ２１が上に重なるＴシャツ２１から透けて見えるようになっている。
【０１２７】
Ｔシャツ２１の原寸大の３次元実物外観形態画像にスケール画像２６（定規画像）を表示するには、図１５の３次元実物大外観形態画像表示画面の３次元実物大外観形態画像表示エリア１５ａ，１５ｄからいずれかのＴシャツ２１の３次元実物大外観形態画像を選択した後（反転させた後）、図１５の３次元実物大外観形態画像表示画面のスケール表示ボタン１５ｍをタップ（クリック）する。スケール表示ボタン１５ｍをタップ（クリック）すると、システムサーバ１０は、大型ディスプレイ１３に図１６に示す３次元実物大外観形態画像表示画面を表示する（原寸大画像表示手段）。
【０１２８】
図１６の３次元実物大外観形態画像表示画面には、原寸大のＴシャツ２１の３次元実物大外観形態画像とスケールのスケール画像２６とを表示した３次元実物大外観形態画像表示エリア１６ａ、Ｔシャツ２１の商品説明を表示した商品説明表示エリア１６ｂ、Ｔシャツ２１の各種寸法を表示した寸法表示エリア１６ｃが表示される。さらに、３次元元画像表示ボタン１６ｄ、２次元画像表示ボタン１６ｅ、異方向表示ボタン１６ｆ、回転表示ボタン１６ｇ、寸法変更ボタン１６ｈ、縮尺画像表示ボタン１６ｉ、価格表示エリア１６ｊ、カートに入れるボタン１６ｋ、検索画面表示ボタン１６ｌが表示される。
【０１２９】
３次元元画像表示ボタン１３ｄをタップ（クリック）すると、大型ディスプレイ１３に図１５の３次元実物大外観形態画像表示画面が表示される。２次元画像表示ボタン１６ｅをタップ（クリック）すると、大型ディスプレイ１３に図１２の２次元実物大外観形態画像表示画面が表示される。３次元実物大外観形態画像表示エリア１６ａでは、そこに表示されたスケール画像２６の長さを伸縮させることができ、長さを伸縮させたスケール画像２６を原寸大のＴシャツ２１の３次元実物大外観形態画像の所定の箇所にあてがうことができる。スケール画像２６を原寸大のＴシャツ２１の３次元実物大外観形態画像の所定の箇所にあてがうと、あてがった箇所におけるＴシャツ２１の寸法（長さ）が３次元実物大外観形態画像表示エリア１６ａに表示され、あてがった箇所の寸法（長さ）を測ることができる。
【０１３０】
図１５の３次元実物大外観形態画像表示画面の３次元実物大外観形態画像表示エリア１５ａ，１５ｄに表示されたＴシャツ２１の各種寸法を変更するには、３次元実物大外観形態画像表示エリア１５ａ，１５ｄからいずれかのＴシャツ２１の３次元実物大外観形態画像を選択した後（反転させた後）、図１５の３次元実物大外観形態画像表示画面の寸法変更ボタン１５ｌをタップ（クリック）し、または、図１６の３次元実物大外観形態画像表示画面の寸法変更ボタン１６ｈをタップ（クリック）する。寸法変更ボタン１５ｌ，１６ｈをタップ（クリック）すると、システムサーバ１０は、大型ディスプレイ１３に図１７に示す３次元実物大外観形態変更画像表示画面を表示する（原寸大画像表示手段）。
【０１３１】
図１７の３次元実物大外観形態変更画像表示画面には、選択されたＴシャツ２１の３次元実物大外観形態画像を表示した３次元実物大外観形態画像表示エリア１７ａ、３次元実物大外観形態画像表示エリア１７ａに表示されたＴシャツ２１の各種寸法を変更する寸法変更エリア１７ｂ、寸法が変更されたＴシャツ２１の３次元実物大外観形態変更画像を表示する３次元実物大外観形態変更画像表示エリア１７ｃが表示される。さらに、３次元元画像表示ボタン１７ｄ、２次元画像表示ボタン１７ｅ、異方向表示ボタン１７ｆ、回転表示ボタン１７ｇ、スケール表示ボタン１７ｈ、縮尺画像表示ボタン１７ｉ、オーダー注文ボタン１７ｊ、検索画面表示ボタン１７ｋが表示される。
【０１３２】
３次元実物大外観形態画像表示エリア１７ａに表示されたＴシャツ２１の各種寸法（着丈、身巾、袖丈、肩巾等）を変更するには、寸法変更エリア１７ｂに表示されたＴシャツ２１の各種寸法を変更した後、寸法変更エリア１７ｂに表示された決定ボタンをタップ（クリック）する。決定ボタンをタップ（クリック）すると、システムサーバ１０は、第１採寸手段によって採寸したＴシャツ２１の各種寸法を変更し（寸法変更手段）、寸法変更手段によって変更されたＴシャツ２１の各種寸法に基づいて寸法変更後のＴシャツ２１の原寸大の３次元実物大外観形態変更画像（原寸大外観形態変更画像データ）を生成する（外観形態変更画像生成手段）。システムサーバ１０は、外観形態変更画像生成手段によって生成したＴシャツ２１の原寸大の３次元実物大外観形態変更画像（生成日時、個人特定情報、メーカー特定情報、販売店特定情報を含む）を記憶領域に記憶（格納）する（外観形態変更画像記憶手段）。システムサーバ１０は、外観形態変更画像生成手段によって生成したＴシャツ２１の原寸大の３次元実物大外観形態変更画像を販売店サーバ１２に送信するとともに、販売店サーバ１２に接続された大型ディスプレイ１３の３次元実物大外観形態変更画像表示エリア１７ｃにＴシャツ２１の原寸大の３次元実物大外観形態変更画像を表示する（原寸大画像表示手段）。
【０１３３】
Ｔシャツ２１の各種寸法を変更し、３次元実物大外観形態変更画像表示エリア１７ｃに表示された３次元実物大外観形態変更画像のＴシャツ２１を注文するには、オーダー注文ボタン１７ｉをクリックする。オーダー注文ボタン１７ｉをクリックすると、３次元実物大外観形態変更画像（各種寸法を含む）のＴシャツ２１のオーダー依頼がシステムサーバ１０からメーカーサーバ１１や販売店サーバ１２に送信される。メーカーや販売店が３次元実物大外観形態変更画像のＴシャツ２１のオーダーを受付可能である場合、３次元実物大外観形態変更画像のＴシャツ２１の受注完了メッセージが大型ディスプレイ１３に表示される。
【０１３４】
Ｔシャツ２１の原寸大の３次元実物外観形態変更画像にスケール画像２６（定規画像）を表示するには、スケール表示ボタン１７ｈをタップ（クリック）する。スケール表示ボタン１７ｈをタップ（クリック）すると、原寸大のＴシャツ２１の３次元実物大外観形態変更画像とスケールのスケール画像２６とを表示した図１６と同様の３次元実物大外観形態画像表示画面が大型ディスプレイ１３に表示される。長さを伸縮させたスケール画像２６を原寸大のＴシャツ２１の３次元実物大外観形態変更画像の所定の箇所にあてがうことができる。スケール画像２６を原寸大のＴシャツ２１の３次元実物大外観形態変更画像の所定の箇所にあてがうと、あてがった箇所におけるＴシャツ２１の寸法（長さ）が表示され、あてがった箇所の寸法（長さ）を測ることができる。
【０１３５】
外観形態表示システムは、採寸したＴシャツ２１（物品）の各種寸法に基づいてＴシャツ２１の原寸大の外観形態画像を生成し、生成したＴシャツ２１の原寸大の２次元実物大外観形態画像や３次元実物大外観形態画像を表示するから、Ｔシャツ２１の実際のサイズ（大きさ、寸法）、原寸大の外観、原寸大のプロポーション、原寸大の意匠を把握することができ、所望のサイズ（大きさ、寸法）を有するとともに所望の外観や所望のプロポーション、所望の意匠を備えたＴシャツ２１を選定することができる。外観形態表示システムは、Ｔシャツ２１の実際のサイズ（大きさ、寸法）、原寸大の外観、原寸大のプロポーション、原寸大の意匠を正確に把握することができるから、購入者の購買意欲を強く刺激することができるとともに、通信販売や検索販売におけるサイズ違いのＴシャツ２１の購入を防ぐことができ、Ｔシャツ２１の返品率を低下させることができる。
【０１３６】
外観形態表示システムは、デジタル撮影機能によって撮影されたＴシャツ２１の外観形態画像や基準寸法画像を利用してＴシャツ２１を採寸するから、Ｔシャツ２１の実物をスケールで測って採寸する必要はなく、複数のＴシャツ２１を容易かつ効率的に採寸することができるとともに、採寸したＴシャツ２１の各種寸法に基づいてＴシャツ２１の原寸大の外観形態画像を生成するから、正確なサイズ（大きさ、寸法）のＴシャツ２１の原寸大の外観形態画像を生成することができ、正確なサイズ（大きさ、寸法）のＴシャツ２１の原寸大の２次元実物大外観形態画像や３次元実物大外観形態画像を表示することができる。外観形態表示システムは、Ｔシャツ２１（物品）の各種寸法を変更し、寸法が変更された後のＴシャツ２１の原寸大の２次元実物大外観形態変更画像や３次元実物大外観形態変更画像を表示することで、所望のサイズ（大きさ、寸法）を有して所望の外観や所望のプロポーション、所望の意匠を備えたＴシャツ２１を作ることができ、購入者の購買意欲を強く刺激することができる。
【０１３７】
外観形態表示システムは、Ｔシャツ２１（物品）の原寸大の２次元実物大外観形態画像や３次元実物大外観形態画像とともにＴシャツ２１の各種寸法の数値を表示することで、Ｔシャツ２１のサイズ（大きさ、寸法）を一層正確に把握することができ、所望のサイズ（大きさ、寸法）を有するＴシャツ２１を確実に選定することができる。外観形態表示システムは、Ｔシャツ２１の原寸大の２次元実物大外観形態画像、３次元実物大外観形態画像、２次元実物大外観形態変更画像、３次元実物大外観形態変更画像の所定の箇所に伸縮可能なスケール画像２６をあてがい、スケール画像２６を利用してＴシャツ２１の原寸大の２次元実物大外観形態画像、３次元実物大外観形態画像、２次元実物大外観形態変更画像、３次元実物大外観形態変更画像の所定の箇所の寸法を測ることができるから、スケール画像２６によってＴシャツ２１の所定の箇所の実際の寸法の数値を知ることができ、Ｔシャツ２１の原寸大のサイズ（大きさ、寸法）、原寸大の外観、原寸大のプロポーション、原寸大の意匠を正確に把握することができる。
【０１３８】
図１８は、スマートフォン１７のディスプレイに表示された検索画面の一例を示す図であり、図１９は、スマートフォン１７のディスプレイに表示された外観形態縮尺画像表示画面の一例を示す図である（２次元）。図２０は、スマートフォン１７のディスプレイに表示された外観形態縮尺画像表示画面の他の一例を示す図であり（３次元）、図２１は、スマートフォン１７のディスプレイに表示された比較物品選択画面の一例を示す図である。図２２は、スマートフォン１７のディスプレイに表示された外観形態比較画面の一例を示す図であり（２次元）、図２３は、スマートフォン１７のディスプレイに表示された外観形態比較画面の他の一例を示す図である（３次元）。図１８〜図２３では、各表示エリアに表示される文言の記載を省略している。
【０１３９】
各ユーザーがそれら携帯通信端末１５〜１８（図１８〜図２３ではスマートフォン１７）の画面（ディスプレイ）に表示されたメニュー画面から縮尺画像表示ボタンをタップすると、スマートフォン１７の画面に図１８に示す検索画面が表示される。検索画面には、システムサーバ１０の記憶領域に記憶された各種複数のＴシャツ２１（物品）の選択画像が表示されるとともに、縮尺表示ボタン１７ａ、実物大表示ボタン１７ｂ、カートに入れるボタン１７ｃ、販売店表示ボタン１７ｄ、メーカー表示ボタン１７ｅ、ユーザー表示ボタン１７ｆが表示される。
【０１４０】
図１８では、メーカーや販売店、ユーザーから送信された各種複数のすべてのＴシャツ２１（物品）が表示されている。販売店表示ボタン１７ｄをタップすると、販売店から送信された各種複数のＴシャツ２１（物品）が画面に表示される。メーカー表示ボタン１７ｅをタップすると、メーカーから送信された各種複数のＴシャツ２１（物品）が画面に表示され、ユーザー表示ボタン１７ｆをタップすると、ユーザーから送信された各種複数のＴシャツ２１（物品）が画面に表示される。
【０１４１】
ユーザーは、検索画面の選択画像に表示された各種複数のＴシャツ２１から所望のそれをタップし、所望のＴシャツ２１を反転させた後、そのＴシャツ２１の縮尺画像や実物大画像を見ることができる。図６の検索画面をスワイプすることで、選択画像がスクロールし、次の各種複数のＴシャツ２１の選択画像が検索画面に表示される。また、所望のＴシャツ２１を反転させた後、カートに入れるボタン１７ｃをタップすることで、そのＴシャツ２１を購入する手続きに移ることができる（以下のカートに入れるボタンも同様）。なお、実物大画像はそれら携帯通信端末１５〜１８の画面（ディスプレイ）では表示することができないが、それら携帯通信端末１５〜１８を大型ディスプレイやプロジェクターに接続することで、大型ディスプレイやプロジェクタースクリーンに図１２〜図１７に示す実物大画像を表示させることができる。
【０１４２】
所望のＴシャツ２１の縮尺画像を見るには、所定のＴシャツ２１を反転させた後、縮尺表示ボタン１７ａをタップする。縮尺表示ボタン１７ａをタップすると、システムサーバ１０は、選択されたＴシャツ２１の２次元外観形態画像（記憶日時、個人特定情報、メーカー特定情報、販売店特定情報）を記憶領域から抽出し、抽出したＴシャツ２１の２次元外観形態画像をスマートフォン１７に送信するとともに、スマートフォン１７の画面に図１９に示す２次元外観形態縮尺画像表示画面を表示する（縮尺画像表示手段）。
【０１４３】
外観形態縮尺画像表示画面には、所定の縮尺倍率に縮尺されたＴシャツ２１の２次元縮尺画像を表示した２次元縮尺画像表示エリア１９ａ、Ｔシャツ２１の商品説明を表示した商品説明表示エリア１９ｂ、Ｔシャツ２１の各種寸法を表示した寸法表示エリア１９ｃ、Ｔシャツ２１の縮尺倍率を表示した縮尺倍率表示エリア１９ｄ、３次元画像表示ボタン１９ｅ、異方向表示ボタン１９ｆ、Ｔシャツ２１の価格や購入を表示したカートに入れるボタン１９ｇ、比較物表示ボタン１９ｈ、実物大表示ボタン１９ｉ、検索画面表示ボタン１９ｊが表示される。
【０１４４】
商品説明表示エリア１９ｂには、２次元縮尺画像表示エリア１９ａに表示されたＴシャツ２１の材質や製法、個人特定情報、メーカー特定情報、販売店特定情報等の商品説明が表示される（以下の商品説明表示エリアも同様）。寸法表示エリア１９ｃには、２次元縮尺画像表示エリア１９ａに表示されたＴシャツ２１の各種寸法（着丈、身巾、袖丈、肩巾等）が表示される（以下の寸法表示エリアも同様）。縮尺倍率表示エリア１９ｄのプルダウンリストから所定の縮尺倍率を選択すると、選択した縮尺倍率のＴシャツ２１の２次元縮尺画像が２次元縮尺画像表示エリア１９ａに表示される（以下の縮尺倍率表示エリアも同様）。異方向表示ボタン１９ｆをタップ（クリック）すると、Ｔシャツ２１の異なる方向から見た２次元縮尺画像が２次元縮尺画像表示エリア１９ａに表示される（以下の異方向表示ボタンも同様）。検索画面表示ボタン１９ｊをタップ（クリック）すると、図１８の検索画面が画面に表示される（以下の検索画面表示ボタンも同様）。
【０１４５】
所望のＴシャツ２１の３次元縮尺画像を見るには、図１９の外観形態縮尺画像表示画面の３次元画像表示ボタン１９ｅをタップする。３次元画像表示ボタン１９ｅをタップすると、システムサーバ１０は、選択されたＴシャツ２１の３次元外観形態画像（記憶日時、個人特定情報、メーカー特定情報、販売店特定情報）を記憶領域から抽出し、抽出したＴシャツ２１の３次元外観形態画像をスマートフォン１７に送信するとともに、スマートフォン１７の画面に図２０に示す３次元外観形態縮尺画像表示画面を表示する（縮尺画像表示手段）。
【０１４６】
外観形態縮尺画像表示画面には、所定の縮尺倍率に縮尺されたＴシャツ２１の３次元外観形態縮尺画像を表示した３次元縮尺画像表示エリア２０ａ、商品説明表示エリア２０ｂ、寸法表示エリア２０ｃ、縮尺倍率表示エリア２０ｄ、２次元画像表示ボタン２０ｅ、異方向表示ボタン２０ｆ、回転表示ボタン２０ｇ、カートに入れるボタン２０ｈ、比較物表示ボタン２０ｉ、実物大表示ボタン２０ｊ、検索画面表示ボタン２０ｋが表示される。回転表示ボタン２０ｇをタップ（クリック）すると、Ｔシャツ２１の３次元外観形態縮尺画像を所定の方向へ回転させつつ、回転させた３次元外観形態縮尺画像が３次元縮尺画像表示エリア２０ａに表示される（以下の回転表示ボタンも同様）。２次元画像表示ボタン２０ｅをタップ（クリック）すると、図１９の２次元外観形態縮尺画像表示画面がスマートフォン１７の画面に表示される。
【０１４７】
所望のＴシャツ２１と比較するサイズ比較物品を見るには、図１９や図２０の外観形態縮尺画像表示画面の比較物表示ボタン１９ｈ，２０ｉをタップする。比較物表示ボタン１９ｈ，２０ｉをタップすると、システムサーバ１０は、各種複数のサイズ比較物品の２次元画像および３次元画像を抽出し、抽出したサイズ比較物品の２次元画像および３次元画像をスマートフォン１７に送信するとともに、スマートフォン１７の画面に図２１に示す比較物品表示画面を表示する（サイズ比較画像表示手段）。
【０１４８】
比較物品表示画面には、システムサーバ１０の記憶領域に記憶された各種複数のサイズ比較物品の所定の縮尺倍率に縮尺されたサイズ比較画像が表示されるとともに、所定の縮尺倍率に縮尺されたＴシャツ２１の２次元外観形態縮尺画像を表示した２次元縮尺画像表示エリア２１ａ、２次元画像表示ボタン２１ｂ、３次元画像表示ボタン２１ｃが表示される。なお、図２１の比較物品表示画面をスワップすることで、比較物品表示画面がスクロールし、次の各種複数のサイズ比較物品のサイズ比較画像が比較物品表示画面に表示される。
【０１４９】
所定の縮尺倍率に縮尺されたＴシャツ２１のサイズ（大きさ、寸法）を判断するためにＴシャツ２１と比較するサイズ比較物品を選択するには、図２１の比較物品表示画面の選択画像からサイズ（大きさ、寸法）の比較に適したペットボトル２３（サイズ比較物品）を反転させた後、２次元画像表示ボタン２１ｂまたは３次元画像表示ボタン２１ｃをタップする。２次元画像表示ボタン２１ｂをタップすると、システムサーバ１０は、スマートフォン１７の画面に図２２に示す２次元外観形態比較画像表示画面を表示する（縮尺画像表示手段）。
【０１５０】
２次元外観形態比較画像表示画面には、２次元縮尺画像表示エリア２２ａ、商品説明表示エリア２２ｂ、寸法表示エリア２２ｃ、縮尺倍率表示エリア２２ｄ、３次元画像表示ボタン２２ｅ、異方向表示ボタン２２ｆ、カートに入れるボタン２２ｇ、比較物表示ボタン２２ｈ、実物大表示ボタン２２ｉ、検索画面表示ボタン２２ｊが表示される。２次元縮尺画像表示エリア２２ａには、所定の縮尺倍率に縮尺されたＴシャツ２１（物品）の２次元外観形態縮尺画像と所定の縮尺倍率（Ｔシャツ２１の縮尺倍率と同一の縮尺倍率）に縮尺されたペットボトル２３（サイズ比較物品）の２次元外観形態縮尺画像とが並んで状態で表示される。比較物表示ボタン２２ｈをタップすると、図２１の比較物品表示画面が表示される（以下の比較物表示ボタンも同様）。
【０１５１】
図２１の比較物品表示画面の選択画像からサイズ（大きさ、寸法）の比較に適したペットボトル２３（サイズ比較物品）を反転させた後、比較物品表示画面の３次元画像表示ボタン２１ｃをタップすると、システムサーバ１０は、スマートフォン１７の画面に図２３に示す３次元外観形態比較画像表示画面を表示する（縮尺画像表示手段）。３次元外観形態比較画像表示画面には、３次元縮尺画像表示エリア２３ａ、商品説明表示エリア２３ｂ、寸法表示エリア２３ｃ、縮尺倍率表示エリア２３ｄ、２次元画像表示ボタン２３ｅ、異方向表示ボタン２３ｆ、回転表示ボタン２３ｇ、カートに入れるボタン２３ｈ、比較物表示ボタン２３ｉ、実物大表示ボタン１０ｉ、価格表示エリア１０ｊ、カートに入れるボタン１０ｋ、検索画面表示ボ２３ｊが表示される。
【０１５２】
３次元縮尺画像表示エリア２３ａには、所定の縮尺倍率に縮尺されたＴシャツ２１（物品）の３次元外観形態縮尺画像と所定の縮尺倍率（Ｔシャツ２１の縮尺倍率と同一の縮尺倍率）に縮尺されたペットボトル２３（サイズ比較物品）の３次元外観形態縮尺画像とが並んで状態で表示される。２次元画像表示ボタン２３ｅをタップ（クリック）すると、図２２の２次元外観形態比較画像表示画面が表示される。
【０１５３】
外観形態表示システムは、携帯通信端末１５〜１８を介して複数のサイズ比較画像の中から外観形態縮尺画像として表示されたＴシャツ２１（物品）のサイズ（大きさ、寸法）を予想し易い最適なサイズ比較画像（たとえば、ペットボトル２３）を選択することができ、そのサイズ比較画像を利用して外観形態縮尺画像で表示されたＴシャツ２１の実際の大きさを容易に予想することができるとともに、外観形態縮尺画像から所望のサイズ（大きさ、寸法）を有するＴシャツ２１を選定することができる。外観形態表示システムは、携帯通信端末１５〜１８の画面において外観形態縮尺画像のサイズ（大きさ、寸法）を比較するペットボトル２３（サイズ比較画像）を外観形態縮尺画像に並べて表示することで、外観形態縮尺画像で表示されたＴシャツ２１（物品）の実際の大きさを容易に予想することができ、外観形態縮尺画像から所望の大きさやサイズを有するＴシャツ２１を選定することができる。
【符号の説明】
【０１５４】
１０    システムサーバ
１１    メーカーサーバ
１２    販売店サーバ
１３    大型ディスプレイ
１４    デジタルカメラ（携帯通信端末）
１５    ノート型パソコン（携帯通信端末）
１６    タブレットＰＣ（携帯通信端末）
１７    スマートフォン（携帯通信端末）
１８    携帯電話（携帯通信端末）
１９    インターネット
２０    固定式のデジタルカメラ
２１    Ｔシャツ（物品）
２２    ５００円玉（基準寸法物品）
２３    ペットボトル２３（サイズ比較物品）
２４    フレーム
２５    フレーム
２６    スケール画像（定規）
【図１】
2018072293.tif 000003
【図２】
2018072293.tif 000004
【図３】
2018072293.tif 000005
【図４】
2018072293.tif 000006
【図５】
2018072293.tif 000007
【図６】
2018072293.tif 000008
【図７】
2018072293.tif 000009
【図８】
2018072293.tif 000010
【図９】
2018072293.tif 000011
【図１０】
2018072293.tif 000012
【図１１】
2018072293.tif 000013
【図１２】
2018072293.tif 000014
【図１３】
2018072293.tif 000015
【図１４】
2018072293.tif 000016
【図１５】
2018072293.tif 000017
【図１６】
2018072293.tif 000018
【図１７】
2018072293.tif 000019
【図１８】
2018072293.tif 000020
【図１９】
2018072293.tif 000021
【図２０】
2018072293.tif 000022
【図２１】
2018072293.tif 000023
【図２２】
2018072293.tif 000024
【図２３】
2018072293.tif 000025